(57)【要約】  本開示は、チャネル状態情報ＣＳＩ処理ユニットの占有時間の決定方法、端末機器を開示する。該方法において、ＣＳＩ報告設定におけるＣＳＩ報告種類に基づいて、前記ＣＳＩ処理ユニットの占有時間を決定することを含む。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。【選択図】図１
2022501967.tif 000002
【特許請求の範囲】
【請求項１】
端末機器に応用されるチャネル状態情報ＣＳＩ処理ユニットの占有時間の決定方法であって、
ＣＳＩ報告設定におけるＣＳＩ報告種類に基づいて、前記チャネル状態情報ＣＳＩ処理ユニットの占有時間を決定することを含み、
前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む、チャネル状態情報ＣＳＩ処理ユニットの占有時間の決定方法。
【請求項２】
ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるＣＳＩ情報がビーム測定情報である場合、ＣＳＩ報告の時間領域特徴に基づいて、前記チャネル状態情報ＣＳＩ処理ユニットの占有時間を決定することを含む、請求項１に記載のチャネル状態情報ＣＳＩ処理ユニットの占有時間の決定方法。
【請求項３】
前記ＣＳＩ報告の時間領域特徴に基づいて、前記チャネル状態情報ＣＳＩ処理ユニットの占有時間を決定することは、
前記ＣＳＩ報告の時間領域特徴が周期的又は準持続的である場合、ＣＳＩリソースの最初の直交周波数分割多重ＯＦＤＭシンボルから、前記ＣＳＩ報告を伝送するための物理上りリンク共有チャネルＰＵＳＣＨ又は物理上りリンク制御チャネルＰＵＣＣＨの最後のＯＦＤＭシンボルまでを、前記チャネル状態情報ＣＳＩ処理ユニットの占有時間とすることを含み、
ここで、前記ＣＳＩリソースは、前記物理上りリンク共有チャネルＰＵＳＣＨ又は前記物理上りリンク制御チャネルＰＵＣＣＨの最初のＯＦＤＭシンボル前のＺ´個のＯＦＤＭシンボルで直近の回に送信されるＣＳＩリソースであり、前記Ｚ´は、ビーム測定情報の算出に必要なＯＦＤＭシンボル数である、請求項２に記載のチャネル状態情報ＣＳＩ処理ユニットの占有時間の決定方法。
【請求項４】
前記ＣＳＩ報告の時間領域特徴に基づいて、前記チャネル状態情報ＣＳＩ処理ユニットの占有時間を決定することは、
前記ＣＳＩ報告の時間領域特徴が非周期的である場合、前記ＣＳＩ報告をトリガする物理下りリンク制御チャネルＰＤＣＣＨの後の最初のＯＦＤＭシンボルから、前記ＣＳＩ報告を伝送する物理上りリンク共有チャネルＰＵＳＣＨの最後のＯＦＤＭシンボルまでを、前記チャネル状態情報ＣＳＩ処理ユニットの占有時間とすることを含む、請求項２に記載のチャネル状態情報ＣＳＩ処理ユニットの占有時間の決定方法。
【請求項５】
ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるＣＳＩ情報が内容なしであり且つＣＳＩ−ＲＳリソースがＴＲＳ測定に用いられないことである場合、ＣＳＩ報告の時間領域特徴及び物理上りリンクリソースの設定状況に基づいて、前記チャネル状態情報ＣＳＩ処理ユニットの占有時間を決定することを含み、前記物理上りリンクリソースが物理上りリンク制御チャネルＰＵＣＣＨリソース又は物理上りリンク共有チャネルＰＵＳＣＨリソースである、請求項１に記載のチャネル状態情報ＣＳＩ処理ユニットの占有時間の決定方法。
【請求項６】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が周期的又は準持続的であり、且つ前記物理上りリンクリソースが前記ネットワーク機器によって設定済みである場合、ＣＳＩリソースの最初のＯＦＤＭシンボルから、設定された前記ＣＳＩ報告の周期的又は準持続的物理上りリンク制御チャネルＰＵＣＣＨ又は物理上りリンク共有チャネルＰＵＳＣＨの（１＋ｘ）番目のＯＦＤＭシンボルまで、又は設定された前記ＣＳＩ報告の周期的又は準持続的物理上りリンク制御チャネルＰＵＣＣＨ又は物理上りリンク共有チャネルＰＵＳＣＨの最後のＯＦＤＭシンボルまでを、前記チャネル状態情報ＣＳＩ処理ユニットの占有時間とすることを含み、
ここで、前記ＣＳＩリソースは、前記物理上りリンク共有チャネルＰＵＳＣＨ又は前記物理上りリンク制御チャネルＰＵＣＣＨの最初のＯＦＤＭシンボル前のＺ´個のＯＦＤＭシンボルで直近の回に送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースであり、前記Ｚ´は、ビーム測定情報の算出に必要なＯＦＤＭシンボル数であり、前記ｘは、整数である、請求項５に記載のチャネル状態情報ＣＳＩ処理ユニットの占有時間の決定方法。
【請求項７】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が周期的又は準持続的であり、且つ前記物理上りリンクリソースが前記ネットワーク機器によって設定済みであるか、又は設定されていない場合、ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、前記チャネル状態情報ＣＳＩ処理ユニットの占有時間とすることを含み、前記Ｚ´は、ビーム測定情報の算出に必要なＯＦＤＭシンボル数であり、前記ｙは、０以上の整数であり、
前記ＣＳＩリソースは、毎回送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースである、請求項５に記載のチャネル状態情報ＣＳＩ処理ユニットの占有時間の決定方法。
【請求項８】
前記ＣＳＩ基準リソースは、周期的又は準持続的に送信されるＣＳＩ−ＲＳリソースに関係する、請求項６又は７に記載のチャネル状態情報ＣＳＩ処理ユニットの占有時間の決定方法。
【請求項９】
前記ＣＳＩ報告の時間領域特徴が周期的又は準持続的である場合、ＣＳＩリソースの測定周期及びスロットオフセットは、前記ＣＳＩリソースの送信周期及びスロットオフセットに一致する、請求項５に記載のチャネル状態情報ＣＳＩ処理ユニットの占有時間の決定方法。
【請求項１０】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が非周期的であり、且つ前記物理上りリンクリソースが前記ネットワーク機器によって設定済みである場合、前記ＣＳＩ報告をトリガするＰＤＣＣＨの後の最初のＯＦＤＭシンボルから、ＣＳＩリソースが設定された物理上りリンク共有チャネルＰＵＳＣＨの最後のシンボルまでを、前記チャネル状態情報ＣＳＩ処理ユニットの占有時間とすることを含む、請求項５に記載の方法。
【請求項１１】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が非周期的であり、且つ前記物理上りリンクリソースが前記ネットワーク機器によって設定済みであるか、又は設定されていない場合、前記ＣＳＩ報告をトリガするＰＤＣＣＨの後の最初のＯＦＤＭシンボルから、第１ＯＦＤＭシンボル又は第２ＯＦＤＭシンボルの一方まで、又は、前記第１ＯＦＤＭシンボル及び前記第２ＯＦＤＭシンボルのうち最も遅いＯＦＤＭシンボルにプラスｎ個のＯＦＤＭシンボルまでを、前記チャネル状態情報ＣＳＩ処理ユニットの占有時間とすることを含み、
ここで、前記第１ＯＦＤＭシンボルは、前記ＣＳＩ報告をトリガするＰＤＣＣＨの後の最初のＯＦＤＭシンボルの後のＺ個のＯＦＤＭシンボルであり、前記第２ＯＦＤＭシンボルは、ＣＳＩリソースの最後のＯＦＤＭシンボルの後のＺ´個のＯＦＤＭシンボルであり、前記Ｚ´は、ビーム測定情報の算出に必要なＯＦＤＭシンボル数であり、前記Ｚは、前記Ｚ´に関係し、前記ｎは、０以上の整数である、請求項５に記載のチャネル状態情報ＣＳＩ処理ユニットの占有時間の決定方法。
【請求項１２】
前記ＣＳＩリソースは、前記ＣＳＩ報告設定に関連するＣＳＩリソース設定の少なくとも１つのＳＳＢリソース又は少なくとも１つのＣＳＩ−ＲＳリソースを含み、又は、
前記ＣＳＩリソースは、前記ＣＳＩ報告設定に関連するＣＳＩリソース設定の少なくとも１つのＳＳＢリソース又は少なくとも１つのＣＳＩ−ＲＳリソース、及び少なくとも１つの干渉測定リソース又は少なくとも１つの受信信号強度指示ＲＳＳＩ測定リソースを含む、請求項３、６、７、９又は１１に記載のチャネル状態情報ＣＳＩ処理ユニットの占有時間の決定方法。
【請求項１３】
ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるビーム測定情報が内容なしであり且つＣＳＩ−ＲＳリソースがＴＲＳ測定に用いられないことである場合、チャネル状態情報ＣＳＩ処理ユニットを占有しないと決定することを含む、請求項１に記載のチャネル状態情報ＣＳＩ処理ユニットの占有時間の決定方法。
【請求項１４】
端末機器に応用されるチャネル状態情報ＣＳＩ処理ユニットの占有時間の決定方法であって、
ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記チャネル状態情報ＣＳＩ処理ユニットの占有時間を決定することを含む、チャネル状態情報ＣＳＩ処理ユニットの占有時間の決定方法。
【請求項１５】
前記ネットワーク機器から毎回送信されたＣＳＩ−ＲＳリソースに基づいて、前記チャネル状態情報ＣＳＩ処理ユニットの占有時間を決定することは、
ＣＳＩ−ＲＳリソースの最初のＯＦＤＭシンボルから、前記ＣＳＩ−ＲＳリソースの最後のＯＦＤＭシンボルの後の（Ｚ´＋ｙ）個のＯＦＤＭシンボルまでを、前記チャネル状態情報ＣＳＩ処理ユニットの占有時間とすることを含み、
前記Ｚ´は、ビーム測定情報の算出に必要なＯＦＤＭシンボル数であり、前記ｙは、０以上の整数であり、ＣＳＩリソースは、毎回送信される少なくとも１つのＣＳＩリソースのうち最も古いＣＳＩリソースであり、又は、前記ＣＳＩリソースは、ＣＳＩ報告に対応するＣＳＩ基準リソースの直近の送信以前の少なくとも１つのＣＳＩリソースのうち最も古いＣＳＩリソースである、請求項１４に記載のチャネル状態情報ＣＳＩ処理ユニットの占有時間の決定方法。
【請求項１６】
前記ＣＳＩ基準リソースは、周期的又は準持続的に送信されるＣＳＩ−ＲＳリソースに関係する、請求項１５に記載のチャネル状態情報ＣＳＩ処理ユニットの占有時間の決定方法。
【請求項１７】
前記ＣＳＩ−ＲＳリソース設定における繰り返しがＯｎにセットされ、
前記ＣＳＩ−ＲＳリソース設定に設定されたＣＳＩ−ＲＳの時間領域特徴が周期的ＣＳＩ−ＲＳであり、又は、
前記ＣＳＩ−ＲＳリソース設定が準持続的ＣＳＩ−ＲＳの時間領域特徴であり且つ活性化されている、請求項１４に記載のチャネル状態情報ＣＳＩ処理ユニットの占有時間の決定方法。
【請求項１８】
ＣＳＩ報告のビーム測定周期及びスロットオフセットは、周期的又は準持続的な前記ＣＳＩ−ＲＳリソースの送信周期及びスロットオフセットに一致する、請求項１４に記載のチャネル状態情報ＣＳＩ処理ユニットの占有時間の決定方法。
【請求項１９】
物理上りリンク制御チャネルＰＵＣＣＨ目標受信電力の決定方法であって、
リンク回復プロセスで、端末機器がネットワーク機器からのリンク回復応答の受信に成功した後であって、前記端末機器が物理上りリンク制御チャネルＰＵＣＣＨ空間関連情報に関するＭＡＣ  ＣＥ活性化又は無線リソース制御ＲＲＣ再設定シグナリングの受信に成功する前の時間内に、物理上りリンク制御チャネルＰＵＣＣＨ伝送に使用される空間フィルタリングパラメータが物理ランダムアクセスチャネルＰＲＡＣＨと同じであり、且つ前記物理ランダムアクセスチャネルＰＲＡＣＨが競争に基づく物理ランダムアクセスチャネルＰＲＡＣＨである場合、セルレベル設定の目標受信電力及び端末機器の特定の目標受信電力に基づいて、物理上りリンク制御チャネルＰＵＣＣＨの目標受信電力を決定することを含む、物理上りリンク制御チャネルＰＵＣＣＨ目標受信電力の決定方法。
【請求項２０】
セルレベル設定の目標受信電力及び端末機器の特定の目標受信電力に基づいて、物理上りリンク制御チャネルＰＵＣＣＨの目標受信電力を決定することは、
前記セルレベル設定の目標受信電力と前記端末機器の特定の目標受信電力との和を、前記物理上りリンク制御チャネルＰＵＣＣＨの目標受信電力とすることを含む、請求項１９に記載の物理上りリンク制御チャネルＰＵＣＣＨ目標受信電力の決定方法。
【請求項２１】
前記端末機器の特定の目標受信電力の値は、０である、請求項１９に記載の物理上りリンク制御チャネルＰＵＣＣＨ目標受信電力の決定方法。
【請求項２２】
前記セルレベル設定の目標受信電力が前記ネットワーク機器によって設定されていない場合、前記セルレベル設定の目標受信電力の値は、０であり、又は、プリアンブル目標受信電力と、メッセージ３と前記プリアンブル目標受信電力とのオフセットとの和である、請求項１９に記載の物理上りリンク制御チャネルＰＵＣＣＨ目標受信電力の決定方法。
【請求項２３】
端末機器であって、
ＣＳＩ報告設定におけるＣＳＩ報告種類に基づいて、チャネル状態情報ＣＳＩ処理ユニットの占有時間を決定する決定モジュールを含み、
前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む、端末機器。
【請求項２４】
前記決定モジュールが、ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるＣＳＩ情報がビーム測定情報である場合、ＣＳＩ報告の時間領域特徴に基づいて、前記チャネル状態情報ＣＳＩ処理ユニットの占有時間を決定することを含む、請求項２３に記載の端末機器。
【請求項２５】
前記決定モジュールが、前記ＣＳＩ報告の時間領域特徴に基づいて、前記チャネル状態情報ＣＳＩ処理ユニットの占有時間を決定することは、
前記ＣＳＩ報告の時間領域特徴が周期的又は準持続的である場合、ＣＳＩリソースの最初の直交周波数分割多重ＯＦＤＭシンボルから、前記ＣＳＩ報告を伝送するための物理上りリンク共有チャネルＰＵＳＣＨ又は物理上りリンク制御チャネルＰＵＣＣＨの最後のＯＦＤＭシンボルまでを、前記チャネル状態情報ＣＳＩ処理ユニットの占有時間とすることを含み、
ここで、前記ＣＳＩリソースは、前記物理上りリンク共有チャネルＰＵＳＣＨ又は前記物理上りリンク制御チャネルＰＵＣＣＨの最初のＯＦＤＭシンボル前のＺ´個のＯＦＤＭシンボルで直近の回に送信されるＣＳＩリソースであり、前記Ｚ´は、ビーム測定情報の算出に必要なＯＦＤＭシンボル数である、請求項２４に記載の端末機器。
【請求項２６】
前記決定モジュールが、前記ＣＳＩ報告の時間領域特徴に基づいて、前記チャネル状態情報ＣＳＩ処理ユニットの占有時間を決定することは、
前記ＣＳＩ報告の時間領域特徴が非周期的である場合、前記ＣＳＩ報告をトリガする物理下りリンク制御チャネルＰＤＣＣＨの後の最初のＯＦＤＭシンボルから、前記ＣＳＩ報告を伝送する物理上りリンク共有チャネルＰＵＳＣＨの最後のＯＦＤＭシンボルまでを、前記チャネル状態情報ＣＳＩ処理ユニットの占有時間とすることを含む、請求項２４に記載の端末機器。
【請求項２７】
前記決定モジュールが、ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるＣＳＩ情報が内容なしであり且つＣＳＩ−ＲＳリソースがＴＲＳ測定に用いられないことである場合、ＣＳＩ報告の時間領域特徴及び物理上りリンクリソースの設定状況に基づいて、前記チャネル状態情報ＣＳＩ処理ユニットの占有時間を決定することを含み、前記物理上りリンクリソースが物理上りリンク制御チャネルＰＵＣＣＨリソース又は物理上りリンク共有チャネルＰＵＳＣＨリソースである、請求項２３に記載の端末機器。
【請求項２８】
前記決定モジュールが、前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が周期的又は準持続的であり、且つ前記物理上りリンクリソースが前記ネットワーク機器によって設定済みである場合、ＣＳＩリソースの最初のＯＦＤＭシンボルから、設定された前記ＣＳＩ報告の周期的又は準持続的物理上りリンク制御チャネルＰＵＣＣＨ又は物理上りリンク共有チャネルＰＵＳＣＨの（１＋ｘ）番目のＯＦＤＭシンボルまで、又は設定された前記ＣＳＩ報告の周期的又は準持続的物理上りリンク制御チャネルＰＵＣＣＨ又は物理上りリンク共有チャネルＰＵＳＣＨの最後のＯＦＤＭシンボルまでを、前記チャネル状態情報ＣＳＩ処理ユニットの占有時間とすることを含み、
ここで、前記ＣＳＩリソースは、前記物理上りリンク共有チャネルＰＵＳＣＨ又は前記物理上りリンク制御チャネルＰＵＣＣＨの最初のＯＦＤＭシンボル前のＺ´個のＯＦＤＭシンボルで直近の回に送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースであり、前記Ｚ´は、ビーム測定情報の算出に必要なＯＦＤＭシンボル数であり、前記ｘは、整数である、請求項２７に記載の端末機器。
【請求項２９】
前記決定モジュールが、前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が周期的又は準持続的であり、且つ前記物理上りリンクリソースが前記ネットワーク機器によって設定済みであるか、又は設定されていない場合、ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、前記チャネル状態情報ＣＳＩ処理ユニットの占有時間とすることを含み、前記Ｚ´は、ビーム測定情報の算出に必要なＯＦＤＭシンボル数であり、前記ｙは、０以上の整数であり、
前記ＣＳＩリソースは、毎回送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースである、請求項２７に記載の端末機器。
【請求項３０】
前記ＣＳＩ基準リソースは、周期的又は準持続的に送信されるＣＳＩ−ＲＳリソースに関係する、請求項２８又は２９に記載の端末機器。
【請求項３１】
前記ＣＳＩ報告の時間領域特徴が周期的又は準持続的である場合、ＣＳＩリソースの測定周期及びスロットオフセットは、前記ＣＳＩリソースの送信周期及びスロットオフセットに一致する、請求項２７に記載の端末機器。
【請求項３２】
前記決定モジュールが、前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が非周期的であり、且つ前記物理上りリンクリソースが前記ネットワーク機器によって設定済みである場合、前記ＣＳＩ報告をトリガするＰＤＣＣＨの後の最初のＯＦＤＭシンボルから、ＣＳＩリソースが設定された物理上りリンク共有チャネルＰＵＳＣＨの最後のシンボルまでを、前記チャネル状態情報ＣＳＩ処理ユニットの占有時間とすることを含む、請求項２７に記載の端末機器。
【請求項３３】
前記決定モジュールが、前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が非周期的であり、且つ前記物理上りリンクリソースが前記ネットワーク機器によって設定済みであるか、又は設定されていない場合、前記ＣＳＩ報告をトリガするＰＤＣＣＨの後の最初のＯＦＤＭシンボルから、第１ＯＦＤＭシンボル又は第２ＯＦＤＭシンボルの一方まで、又は、前記第１ＯＦＤＭシンボル及び前記第２ＯＦＤＭシンボルのうち最も遅いＯＦＤＭシンボルにプラスｎ個のＯＦＤＭシンボルまでを、前記チャネル状態情報ＣＳＩ処理ユニットの占有時間とすることを含み、
ここで、前記第１ＯＦＤＭシンボルは、前記ＣＳＩ報告をトリガするＰＤＣＣＨの後の最初のＯＦＤＭシンボルの後のＺ個のＯＦＤＭシンボルであり、前記第２ＯＦＤＭシンボルは、ＣＳＩリソースの最後のＯＦＤＭシンボルの後のＺ´個のＯＦＤＭシンボルであり、前記Ｚ´は、ビーム測定情報の算出に必要なＯＦＤＭシンボル数であり、前記Ｚは、前記Ｚ´に関係し、前記ｎは、０以上の整数である、請求項２７に記載の端末機器。
【請求項３４】
前記ＣＳＩリソースは、前記ＣＳＩ報告設定に関連するＣＳＩリソース設定の少なくとも１つのＳＳＢリソース又は少なくとも１つのＣＳＩ−ＲＳリソースを含み、又は、
前記ＣＳＩリソースは、前記ＣＳＩ報告設定に関連するＣＳＩリソース設定の少なくとも１つのＳＳＢリソース又は少なくとも１つのＣＳＩ−ＲＳリソース、及び少なくとも１つの干渉測定リソース又は少なくとも１つの受信信号強度指示ＲＳＳＩ測定リソースを含む、請求項２５、２８、２９、３１又は３３に記載の端末機器。
【請求項３５】
前記決定モジュールが、ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるビーム測定情報が内容なしであり且つＣＳＩ−ＲＳリソースがＴＲＳ測定に用いられないことである場合、チャネル状態情報ＣＳＩ処理ユニットを占有しないと決定することを含む、請求項２３に記載の端末機器。
【請求項３６】
端末機器であって、
ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、チャネル状態情報ＣＳＩ処理ユニットの占有時間を決定する決定モジュールを含む、端末機器。
【請求項３７】
前記決定モジュールが、前記ネットワーク機器から毎回送信されたＣＳＩ−ＲＳリソースに基づいて、前記チャネル状態情報ＣＳＩ処理ユニットの占有時間を決定することは、
ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、前記チャネル状態情報ＣＳＩ処理ユニットの占有時間とすることを含み、
前記Ｚ´は、ビーム測定情報の算出に必要なＯＦＤＭシンボル数であり、前記ｙは、０以上の整数であり、前記ＣＳＩリソースは、毎回送信される少なくとも１つのＣＳＩリソースのうち最も古いＣＳＩリソースであり、又は、前記ＣＳＩリソースは、ＣＳＩ報告に対応するＣＳＩ基準リソースの直近の送信以前の少なくとも１つのＣＳＩリソースのうち最も古いＣＳＩリソースである、請求項３６に記載の端末機器。
【請求項３８】
前記ＣＳＩ基準リソースは、周期的又は準持続的に送信されるＣＳＩ−ＲＳリソースに関係する、請求項３７に記載の端末機器。
【請求項３９】
前記ＣＳＩ−ＲＳリソース設定における繰り返しがＯｎにセットされ、
前記ＣＳＩ−ＲＳリソース設定に設定されたＣＳＩ−ＲＳの時間領域特徴が周期的ＣＳＩ−ＲＳであり、又は、
前記ＣＳＩ−ＲＳリソース設定が準持続的ＣＳＩ−ＲＳの時間領域特徴であり且つ活性化されている、請求項３７に記載の端末機器。
【請求項４０】
ＣＳＩ報告のビーム測定周期及びスロットオフセットは、周期的又は準持続的な前記ＣＳＩ−ＲＳリソースの送信周期及びスロットオフセットに一致する、請求項３７に記載の端末機器。
【請求項４１】
端末機器であって、
リンク回復プロセスで、端末機器がネットワーク機器からのリンク回復応答の受信に成功した後であって、前記端末機器が物理上りリンク制御チャネルＰＵＣＣＨ空間関連情報に関するＭＡＣ  ＣＥ活性化又は無線リソース制御ＲＲＣ再設定シグナリングの受信に成功する前の時間内に、物理上りリンク制御チャネルＰＵＣＣＨ伝送に使用される空間フィルタリングパラメータが物理ランダムアクセスチャネルＰＲＡＣＨと同じであり、且つ前記物理ランダムアクセスチャネルＰＲＡＣＨが競争に基づく物理ランダムアクセスチャネルＰＲＡＣＨである場合、セルレベル設定の目標受信電力及び端末機器の特定の目標受信電力に基づいて、物理上りリンク制御チャネルＰＵＣＣＨの目標受信電力を決定する電力決定モジュールを含む、端末機器。
【請求項４２】
前記電力決定モジュールが、セルレベル設定の目標受信電力及び端末機器の特定の目標受信電力に基づいて、物理上りリンク制御チャネルＰＵＣＣＨの目標受信電力を決定することは、
前記セルレベル設定の目標受信電力と前記端末機器の特定の目標受信電力との和を、前記物理上りリンク制御チャネルＰＵＣＣＨの目標受信電力とすることを含む、請求項４１に記載の端末機器。
【請求項４３】
前記端末機器の特定の目標受信電力の値は、０である、請求項４１に記載の端末機器。
【請求項４４】
前記セルレベル設定の目標受信電力が前記ネットワーク機器によって設定されていない場合、前記セルレベル設定の目標受信電力の値は、０であり、又は、プリアンブル目標受信電力と、メッセージ３と前記プリアンブル目標受信電力とのオフセットとの和である、請求項４１に記載の端末機器。
【請求項４５】
メモリと、プロセッサと、前記メモリに格納されて前記プロセッサで実行可能なコンピュータプログラムとを含む端末機器であって、
前記コンピュータプログラムが前記プロセッサによって実行されると、請求項１〜１３のいずれか１項に記載のチャネル状態情報ＣＳＩ処理ユニットの占有時間の決定方法が実現され、又は、請求項１４〜１８のいずれか１項に記載のチャネル状態情報ＣＳＩ処理ユニットの占有時間の決定方法が実現され、又は、請求項１９〜２２のいずれか１項に記載の物理上りリンク制御チャネルＰＵＣＣＨ目標受信電力の決定方法が実現される、端末機器。
【請求項４６】
コンピュータプログラムが格納されているコンピュータ読み取り可能な記憶媒体であって、
前記コンピュータプログラムがプロセッサによって実行されると、請求項１〜１３のいずれか１項に記載のチャネル状態情報ＣＳＩ処理ユニットの占有時間の決定方法が実現され、又は、請求項１４〜１８のいずれか１項に記載のチャネル状態情報ＣＳＩ処理ユニットの占有時間の決定方法が実現され、又は、請求項１９〜２２のいずれか１項に記載の物理上りリンク制御チャネルＰＵＣＣＨ目標受信電力の決定方法が実現される、コンピュータ読み取り可能な記憶媒体。
【発明の詳細な説明】
【技術分野】
【０００１】
（関連出願の相互参照）
本願は、２０１８年９月３０日に中国特許庁に提出された中国特許出願２０１８１１１６１６７５．９の優先権、及び２０１８年１１月９日に中国特許庁に提出された中国特許出願２０１８１１３３３７０４．５の優先権を主張し、その全ての内容が援用によりここに取り込まれる。
本開示は、通信分野に係り、特にチャネル状態情報ＣＳＩ処理ユニットの占有時間の決定方法、端末機器に係る。
【背景技術】
【０００２】
端末機器は、ビーム管理において、ネットワーク機器の複数の送信ビーム又は自身の複数の受信ビームを測定してビーム測定情報を取得し、ネットワーク機器に報告されるＣＳＩ情報がビーム測定情報であるかを、異なる応用シーンに応じて決定する。例えば、端末機器が、基地局の複数の送信ビームを測定し、又は、ネットワーク機器の複数の送信ビーム及び自身の複数の受信ビームを測定する場合、端末機器からネットワーク機器に報告されるＣＳＩ情報は、ビーム測定情報である。端末機器が、ネットワーク機器の１つの特定の送信ビームで自身の複数の受信ビームを測定する場合、端末機器からネットワーク機器に報告されるＣＳＩ情報は、内容なしである。即ち、ネットワーク機器にビーム測定情報を報告しない。
【０００３】
一般に、端末機器は、ビーム測定を行う際に、端末機器内のＣＳＩ処理ユニットを占有し、ＣＳＩ処理ユニットの占有時間を決定する必要がある。しかしながら、関連技術では、ビーム管理においてＣＳＩ処理ユニットの占有時間を決定することができない。
【発明の概要】
【発明が解決しようとする課題】
【０００４】
本開示の実施例は、ビーム管理においてＣＳＩ処理ユニットの占有時間を決定することはできないという問題を解決するために、チャネル状態情報ＣＳＩ処理ユニットの占有時間の決定方法、端末機器を提供する。
【課題を解決するための手段】
【０００５】
第１態様として、端末機器に応用されるチャネル状態情報ＣＳＩ処理ユニットの占有時間の決定方法を提供し、ＣＳＩ報告設定におけるＣＳＩ報告種類に基づいて、前記ＣＳＩ処理ユニットの占有時間を決定することを含み、前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。
【０００６】
第２態様として、端末機器を提供し、ＣＳＩ報告設定におけるＣＳＩ報告種類に基づいて、前記ＣＳＩ処理ユニットの占有時間を決定する決定モジュールを含み、前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。
【０００７】
第３態様として、プロセッサと、メモリと、前記メモリに格納されて前記プロセッサで実行可能なコンピュータプログラムとを含む端末機器を提供し、前記コンピュータプログラムが前記プロセッサによって実行されると、第１態様に記載の方法が実現される。
【０００８】
第４態様として、コンピュータプログラムが格納されているコンピュータ読み取り可能な記憶媒体を提供し、前記コンピュータプログラムがプロセッサによって実行されると、第１態様に記載の方法のステップが実現される。
【０００９】
本開示の実施例による技術手段では、ビーム管理において、端末機器内のＣＳＩ処理ユニットの占有時間を決定する際に、ＣＳＩ報告設定におけるＣＳＩ報告種類に基づいて、前記ＣＳＩ処理ユニットの占有時間を決定する。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。このように、ビーム管理において、ネットワーク機器に報告されるＣＳＩ情報がビーム測定情報である応用シーン、及び、報告されるＣＳＩ情報が内容なしであり且つＣＳＩ−ＲＳリソースがＴＲＳ測定に用いられない応用シーンで、端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【００１０】
第５態様として、端末機器に応用されるチャネル状態情報ＣＳＩ処理ユニットの占有時間の決定方法を提供し、ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記ＣＳＩ処理ユニットの占有時間を決定することを含む。
【００１１】
第６態様として、端末機器を提供し、ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記ＣＳＩ処理ユニットの占有時間を決定する決定モジュールを含む。
【００１２】
第７態様として、プロセッサと、メモリと、前記メモリに格納されて前記プロセッサで実行可能なコンピュータプログラムとを含む端末機器を提供し、前記コンピュータプログラムが前記プロセッサによって実行されると、第５態様に記載の方法が実現される。
【００１３】
第８態様として、コンピュータプログラムが格納されているコンピュータ読み取り可能な記憶媒体を提供し、前記コンピュータプログラムがプロセッサによって実行されると、第５態様に記載の方法が実現される。
【００１４】
本開示の実施例による技術手段では、ビーム管理において、ＣＳＩ報告設定が設定されていない応用シーンで、端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【００１５】
第９態様として、端末機器に応用されるＰＵＣＣＨ目標受信電力の決定方法を提供し、リンク回復プロセスで、端末機器がネットワーク機器からのリンク回復応答の受信に成功した後であって、前記端末機器がＰＵＣＣＨ空間関連情報に関するＭＡＣ  ＣＥ活性化又は無線リソース制御ＲＲＣ再設定シグナリングの受信に成功する前の時間内に、ＰＵＣＣＨ伝送に使用される空間フィルタリングパラメータが物理ランダムアクセスチャネルＰＲＡＣＨと同じであり、且つ前記ＰＲＡＣＨが競争に基づくＰＲＡＣＨである場合、セルレベル設定の目標受信電力及び端末機器の特定の目標受信電力に基づいて、ＰＵＣＣＨの目標受信電力を決定することを含む。
【００１６】
第１０態様として、端末機器を提供し、リンク回復プロセスで、端末機器がネットワーク機器からのリンク回復応答の受信に成功した後であって、前記端末機器がＰＵＣＣＨ空間関連情報に関するＭＡＣ  ＣＥ活性化又は無線リソース制御ＲＲＣ再設定シグナリングの受信に成功する前の時間内に、ＰＵＣＣＨ伝送に使用される空間フィルタリングパラメータが物理ランダムアクセスチャネルＰＲＡＣＨと同じであり、且つ前記ＰＲＡＣＨが競争に基づくＰＲＡＣＨである場合、セルレベル設定の目標受信電力及び端末機器の特定の目標受信電力に基づいて、ＰＵＣＣＨの目標受信電力を決定する電力決定モジュールを含む。
【００１７】
第１１態様として、プロセッサと、メモリと、前記メモリに格納されて前記プロセッサで実行可能なコンピュータプログラムとを含む端末機器を提供し、前記コンピュータプログラムが前記プロセッサによって実行されると、第９態様に記載の方法が実現される。
【００１８】
第１２態様として、コンピュータプログラムが格納されているコンピュータ読み取り可能な記憶媒体を提供し、前記コンピュータプログラムがプロセッサによって実行されると、第９態様に記載の方法が実現される。
【発明の効果】
【００１９】
本開示の実施例による技術手段では、端末機器がネットワーク機器からのリンク回復応答の受信に成功した後であって、端末機器がＰＵＣＣＨ空間関連情報に関するＭＡＣ  ＣＥ活性化又はＲＲＣ再設定の受信に成功する前の時間内に、ＰＵＣＣＨ伝送に使用される空間フィルタリングパラメータがＰＲＡＣＨと同じであり、且つＰＲＡＣＨが競争に基づくＰＲＡＣＨである場合、セルレベル設定の目標受信電力及び端末機器の特定の目標受信電力に基づいて、ＰＵＣＣＨの目標受信電力を明確化することができる。
【００２０】
ここで説明する図面は、本開示を更に理解するために提供され、本開示の一部を構成する。本開示の例示的な実施例及びその説明は、本開示を解釈するために用いられるものであり、本開示に対する不当な限定を構成しない。
【図面の簡単な説明】
【００２１】
【図１】本開示の一実施例に係るチャネル状態情報ＣＳＩ処理ユニットの占有時間の決定方法のフローチャートである。
【図２】本開示の一実施例に係るチャネル状態情報ＣＳＩ処理ユニットの占有時間の決定方法の概略図である。
【図３】本開示の一実施例に係るチャネル状態情報ＣＳＩ処理ユニットの占有時間の決定方法の概略図である。
【図４】本開示の一実施例に係るチャネル状態情報ＣＳＩ処理ユニットの占有時間の決定方法の概略図である。
【図５】本開示の一実施例に係るチャネル状態情報ＣＳＩ処理ユニットの占有時間の決定方法の概略図である。
【図６】本開示の一実施例に係るチャネル状態情報ＣＳＩ処理ユニットの占有時間の決定方法の概略図である。
【図７】本開示の一実施例に係るチャネル状態情報ＣＳＩ処理ユニットの占有時間の決定方法の概略図である。
【図８】本開示の一実施例に係るチャネル状態情報ＣＳＩ処理ユニットの占有時間の決定方法の概略図である。
【図９】本開示の一実施例に係るチャネル状態情報ＣＳＩ処理ユニットの占有時間の決定方法の概略図である。
【図１０】本開示の一実施例に係るチャネル状態情報ＣＳＩ処理ユニットの占有時間の決定方法の概略図である。
【図１１】本開示の一実施例に係るチャネル状態情報ＣＳＩ処理ユニットの占有時間の決定方法のフローチャートである。
【図１２】本開示の一実施例に係るチャネル状態情報ＣＳＩ処理ユニットの占有時間の決定方法の概略図である。
【図１３】本開示の一実施例に係るチャネル状態情報ＣＳＩ処理ユニットの占有時間の決定方法の概略図である。
【図１４】本開示の一実施例に係るＰＵＣＣＨ目標受信電力の決定方法のフローチャートである。
【図１５】本開示の一実施例に係る端末機器の構造図である。
【図１６】本開示の一実施例に係る端末機器の構造図である。
【図１７】本開示の一実施例に係る端末機器の構造図である。
【図１８】本開示の一実施例に係る端末機器の構造図である。
【図１９】本開示の一実施例に係る端末機器の構造図である。
【発明を実施するための形態】
【００２２】
ビーム管理において、ネットワーク機器（例えば、ＴＲＰ（Ｔｒａｎｓｍｉｓｓｉｏｎ  Ｒｅｃｅｐｔｉｏｎ  Ｐｏｉｎｔ））は、複数の送信ビームを有してもよく、端末機器も、複数の受信ビームを有してもよい。一般に、端末機器は、基地局と通信する前に、ネットワーク機器の複数の送信ビーム又は自身の複数の受信ビームを測定して、ネットワーク機器と通信するときにネットワーク機器に使用される最適な送信ビーム又は自身に使用される最適な受信ビームを決定する。
【００２３】
端末機器によるビーム測定は、同期信号ブロックＳＳＢ（Ｓｙｎｃｈｒｏｎｉｓａｔｉｏｎ  Ｓｉｇｎａｌ  Ｂｌｏｃｋ）リソース又はチャネル状態情報基準信号ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）リソースをネットワーク機器が設定することによって実現される。ここで、異なるＳＳＢリソース又はＣＳＩ−ＲＳリソース上の信号は、異なる送信ビームで送信される。端末機器は、受信した信号強度などのパラメータに基づいてビーム測定を実現する。
【００２４】
以下では、３つの典型的な応用シーンを例として説明する。
【００２５】
応用シーン１：端末機器は、ネットワーク機器の複数の送信ビームと自身の複数の受信ビームを測定する。
具体的には、端末機器は、ネットワーク機器の送信ビーム毎に、自身の複数の受信ビームを走査し、複数の受信ビームで受信した信号強度等のパラメータから、各送信ビームに対応する最適な受信ビームを決定し、それらの最適な受信ビームに基づいて、対応する１つ又は複数の送信ビームを決定する。
【００２６】
応用シーン２：端末機器は、ネットワーク機器の複数の送信ビームを測定する。
具体的には、端末機器は、１つの特定の受信ビームに、ネットワーク機器の複数の送信ビームを走査し、複数の送信ビームから受信した信号強度などのパラメータに基づいて、１つ又は複数の最適な送信ビームを決定する。
応用シーン２は、上記応用シーン１の特例と考えられ、応用シーン１に比べて、小さい範囲でより正確な送信ビーム走査を実現することができる。
【００２７】
応用シーン３：端末機器は、自身の複数の受信ビームを測定する。
具体的には、端末機器は、ネットワーク機器の１つの特定の送信ビームに、自身の複数の受信ビームを走査し、複数の受信ビームで受信した信号強度などのパラメータに基づいて１つ又は複数の最適な受信ビームを決定する。
【００２８】
上記応用シーン１は、上記応用シーン２と上記応用シーン３との組み合わせである。端末機器は、上記３つの応用シーンでビーム測定を行うと、対応するビーム測定情報を取得し、端末機器に記録する。ここで、上記応用シーン１と応用シーン２において、端末機器は、ビーム測定情報をＣＳＩ情報としてネットワーク機器に報告することによって、ネットワーク機器は、適切な送信ビームを使用して端末機器と通信する。上記応用シーン３において、ネットワーク機器の送信ビームが特定されたため、端末機器からネットワーク機器に報告されるＣＳＩ情報は、内容なしであり、即ちビーム測定情報がネットワーク機器に報告されない。このように、ネットワーク機器が特定の送信ビームを使用して端末機器と通信する際に、端末機器は、ローカルに記録されているビーム測定情報に基づいて、適切な受信ビームを選択する。
【００２９】
端末機器がビーム測定情報をＣＳＩ報告の方式でネットワーク機器に報告する前に、ネットワーク機器は、ＣＳＩ報告設定を端末機器に指示する。
【００３０】
具体的に、ネットワーク機器は、端末機器に無線リソース制御ＲＲＣ（Ｒａｄｉｏ  Ｒｅｓｏｕｒｃｅ  Ｃｏｎｔｒｏｌ）シグナリングを送信し、ＲＲＣシグナリング内でＣＳＩ報告設定（ＣＳＩ−Ｒｅｐｏｒｔ  Ｃｏｎｆｉｇ）を搬送する。ここで、ビーム管理において、ＣＳＩ報告設定における報告量（ｒｅｐｏｒｔＱｕａｎｔｉｔｙ）の設定オプションは、主にｃｒｉ−基準信号受信電力ｃｒｉ−ＲＳＲＰ（ｃｒｉ−Ｒｅｆｅｒｅｎｃｅ  Ｓｉｇｎａｌ  Ｒｅｃｅｉｖｉｎｇ  Ｐｏｗｅｒ）、ｓｓｂ−Ｉｎｄｅｘ−ＲＳＲＰ、又はなしを含む。
【００３１】
端末機器は、ネットワーク機器から指示されたＣＳＩ報告設定を受信すると、指示に基づいて、対応するビーム測定情報を得る。
【００３２】
端末機器は、ビーム測定情報を得ると、通常、端末機器内のＣＳＩ処理ユニットを占有する必要がある。ここで、端末機器がＮ個のＣＳＩの計算を同時にサポートするとは、端末機器がＮ個のＣＳＩ処理ユニットを有することを意味する。与えられた１つの直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにおいて、端末機器内にＬ個のＣＳＩ処理ユニットが占有されている場合、端末機器は、Ｎ−Ｌ個の使用可能なＣＳＩ処理ユニットを有することになる。
【００３３】
しかしながら、関連技術では、ビーム管理においてＣＳＩ処理ユニットの占有時間を明確にすることができなかった。
【００３４】
これに鑑みて、本開示の実施例は、チャネル状態情報ＣＳＩ処理ユニットの占有時間の決定方法及び端末機器を提供する。該方法は、端末機器に応用される方法であり、ＣＳＩ報告設定におけるＣＳＩ報告種類に基づいて、前記ＣＳＩ処理ユニットの占有時間を決定することを含む。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。
【００３５】
本開示の実施例に記載のＣＳＩ情報が内容なしであることは、ＣＳＩ報告設定における報告量をなしに設定できると理解できる。
【００３６】
このように、ビーム管理において、ネットワーク機器に報告されるＣＳＩ情報がビーム測定情報である応用シーン、及び、報告されるＣＳＩ情報が内容なしであり且つＣＳＩ−ＲＳリソースがＴＲＳ測定に用いられない応用シーンで、端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【００３７】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００３８】
本開示の技術手段は、ＧＳＭシステム（Ｇｌｏｂａｌ  Ｓｙｓｔｅｍ  ｏｆ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）／ＬＴＥ−Ａ（Ｌｏｎｇ  Ｔｅｒｍ  Ｅｖｏｌｕｔｉｏｎａｄｖａｎｃｅｄ）、ＮＲ（Ｎｅｗ  Ｒａｄｉｏ）など、様々な通信システムに応用可能である。
【００３９】
端末機器は、ユーザ端末ＵＥ（Ｕｓｅｒ  Ｅｑｕｉｐｍｅｎｔ）と理解されてもよく、移動端末（Ｍｏｂｉｌｅ  Ｔｅｒｍｉｎａｌ）などと称されてもよく、ＲＡＮ（Ｒａｄｉｏ  Ａｃｃｅｓｓ  Ｎｅｔｗｏｒｋ）を介して１つ又は複数のコアネットワークと通信可能である。ユーザ機器は、移動電話（又は「セルラー」電話と称される）などの移動端末や、携帯式、ポータブル式、ハンドヘルド式、コンピュータ内蔵式又は車載の移動装置など、移動端末を有するコンピュータであり、無線アクセスネットワークとは音声及び／又はデータのやり取りを行う。
【００４０】
基地局は、ＧＳＭ又はＣＤＭＡにおける基地局ＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、更に、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよい。本開示で限定されないが、記載しやすくするために、以下の実施例ではｇＮＢを例として説明する。
【００４１】
本開示の応用シーンは、少なくとも、端末機器がネットワーク機器の複数の送信ビームを測定する応用シーンと、端末機器が自身の複数の送信ビームを測定する応用シーンの２種類の応用シーンを含む。この２種類の応用シーンで、端末機器は、本開示の実施例による技術手段に基づいて、端末機器内のＣＳＩ処理ユニットの占有時間を明確化することができる。
【００４２】
以下、図面を参照して、本開示の各実施例による技術手段を詳細に説明する。
【００４３】
図１は、本開示の一実施例に係るチャネル状態情報ＣＳＩ処理ユニットの占有時間の決定方法のフローチャートである。前記方法は、端末機器に応用され、以下のように記載される。
【００４４】
Ｓ１０２において、ＣＳＩ報告設定におけるＣＳＩ報告種類に基づいて、前記ＣＳＩ処理ユニットの占有時間を決定する。
【００４５】
Ｓ１０２において、ビーム測定の応用シーンでＣＳＩ処理ユニットの占有時間を決定する際に、ＣＳＩ報告設定におけるＣＳＩ報告種類に基づいて、前記ＣＳＩ処理ユニットの占有時間を決定する。
【００４６】
本開示の実施例において、ネットワーク機器によって設定されるＣＳＩ報告種類は、２種類を含む。１つは、端末機器からネットワーク機器に報告されるＣＳＩ情報がビーム測定情報であり、もう１つは、端末機器からネットワーク機器に報告されるＣＳＩ情報が内容なしであり且つＣＳＩ−ＲＳリソースが追跡基準信号ＴＲＳ（Ｔｒａｃｋｉｎｇ  Ｒｅｆｅｒｅｎｃｅ  Ｓｉｇｎａｌ）測定に用いられない。即ち、該ＣＳＩ報告設定に関連するＣＳＩリソース設定におけるＣＳＩ−ＲＳリソースセットＣＳＩ−ＲＳ−ＲｅｓｏｕｒｃｅＳｅｔのハイレイヤパラメータＴＲＳ−Ｉｎｆｏが設定されていない。ここで、端末機器からネットワーク機器に報告されるＣＳＩ情報が内容なしであることは、端末機器からネットワーク機器にビーム測定情報を報告しないと理解できる。
【００４７】
前記ビーム測定情報は、ＳＳＢのリソース番号に対応するビーム測定量、又はＣＳＩ−ＲＳのリソース番号に対応するビーム測定量を含む。前記ビーム測定量は、Ｌ１−ＲＳＲＰを含んでもよく、Ｌ１−基準信号受信品質Ｌ１−ＲＳＲＱ（Ｌ１−Ｒｅｆｅｒｅｎｃｅ  Ｓｉｇｎａｌ  Ｒｅｃｅｉｖｉｎｇ  Ｑｕａｌｉｔｙ）及びＬ１−信号対干渉プラス雑音比Ｌ１−ＳＩＮＲ（Ｌ１−Ｓｉｇｎａｌ  ｔｏ  Ｉｎｔｅｒｆｅｒｅｎｃｅ  ｐｌｕｓ  Ｎｏｉｓｅ  Ｒａｔｉｏ）のうちの少なくとも１つを含んでもよい。
【００４８】
端末機器からネットワーク機器にビーム測定情報を報告することは、端末機器がネットワーク機器の複数の送信ビームを測定する応用シーンに対応する。この場合、端末機器は、測定した送信ビーム情報をネットワーク機器に報告する必要がある。
【００４９】
端末機器からネットワーク機器に報告されるビーム測定情報が内容なしであり且つＣＳＩ−ＲＳリソースがＴＲＳ測定に用いられないことは、端末機器が自身の複数の送信ビームを測定する応用シーンに対応する。この場合、端末機器は、測定した受信ビーム情報をネットワーク機器に報告する必要がない。
【００５０】
本開示の一実施例において、ＣＳＩ報告種類としてビーム測定情報をネットワーク機器に報告する場合、ＣＳＩ処理ユニットの占有時間を決定することは、前記ＣＳＩ報告の時間領域特徴に基づいて、前記ＣＳＩ処理ユニットの占有時間を決定することを含む。
【００５１】
本実施例において、端末機器からネットワーク機器に報告されるＣＳＩ情報がビーム測定情報である場合、ＣＳＩ報告の時間領域特徴に基づいて、ＣＳＩ処理ユニットの占有時間を決定する。ここで、端末機器からネットワーク機器に報告されるＣＳＩ情報がビーム測定情報である場合、対応するＣＳＩ報告設定における報告量は、ｃｒｉ−ＲＳＲＰ、ｓｓｂ−Ｉｎｄｅｘ−ＲＳＲＰに設定される。
【００５２】
ＣＳＩ報告の時間領域特徴は、２種類を含み、１つは、周期的又は準持続的であり、もう１つは、非周期的である。ここで、ＣＳＩ報告の時間領域特徴が周期的又は準持続的である場合、ＳＳＢリソースに基づく周期的又は準持続的ＣＳＩ報告であってもよく、周期的ＣＳＩ−ＲＳリソースに基づく周期的又は準持続的ＣＳＩ報告であってもよく、更に準持続的ＣＳＩ−ＲＳリソースに基づく周期的又は準持続的ＣＳＩ報告であってもよく、ここでは具体的に限定しない。ＣＳＩ報告の時間領域特徴が非周期的である場合、ＳＳＢリソースに基づく非周期的ＣＳＩ報告であってもよく、周期的ＣＳＩ−ＲＳリソースに基づく非周期的ＣＳＩ報告であってもよく、更に準持続的又は非周期的ＣＳＩ−ＲＳリソースに基づく非周期的ＣＳＩ報告であってもよいが、ここでは具体的に限定しない。
【００５３】
以下、ＣＳＩ報告の２種類の異なる時間領域特徴に対し、ＣＳＩ処理ユニットの占有時間をどのように決定するかをそれぞれ説明する。
【００５４】
１つの実現方式において、ＣＳＩ報告の時間領域特徴が周期的又は準持続的である場合、ＣＳＩ処理ユニットの占有時間を決定することは、ＣＳＩリソースの最初のＯＦＤＭシンボルから、ＣＳＩ報告を伝送するための物理上りリンク共有チャネルＰＵＳＣＨ（Ｐｈｙｓｉｃａｌ  Ｕｐｌｉｎｋ  Ｓｈａｒｅｄ  Ｃｈａｎｎｅｌ）又は物理上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）の最後のＯＦＤＭシンボルまでを、ＣＳＩ処理ユニットの占有時間とすることを含む。
【００５５】
前記ＣＳＩリソースは、前記ＰＵＳＣＨ又は前記ＰＵＣＣＨの最初のＯＦＤＭシンボル前のＺ´個のＯＦＤＭシンボルで直近の回に送信されるＣＳＩリソースである。
【００５６】
一実施例において、前記ＣＳＩリソースは、１種類のリソースを含み、該１種類のリソースは、前記ＣＳＩ報告設定に関連する１つのＣＳＩリソース設定（ＣＳＩ−ＲｅｓｏｕｒｃｅＣｏｎｆｉｇ）に設定された少なくとも１つのＳＳＢリソース又は少なくとも１つのＣＳＩ−ＲＳリソースを含む。
【００５７】
別の実施例において、前記ＣＳＩリソースは、複数種類のリソースを含み、該複数種類のリソースは、前記ＣＳＩ報告設定に関連する１つのＣＳＩリソース設定に設定された少なくとも１つのＳＳＢリソース又は少なくとも１つのＣＳＩ−ＲＳリソース、及び前記ＣＳＩ報告設定に関連する別のＣＳＩリソース設定に設定された少なくとも１つの干渉測定リソース又は少なくとも１つの受信信号強度指示ＲＳＳＩ（Ｒｅｃｅｉｖｅｄ  Ｓｉｇｎａｌ  Ｓｔｒｅｎｇｔｈ  Ｉｎｄｉｃａｔｉｏｎ）測定リソースを含む。
【００５８】
即ち、前記ＣＳＩリソースは、少なくとも１つのＳＳＢリソース又は少なくとも１つのＣＳＩ−ＲＳリソースを含むことが必要であり、これに加えて、少なくとも１つの干渉測定リソース又は少なくとも１つのＲＳＳＩ測定リソースを更に含む。ここで、前記ＳＳＢリソース又はＣＳＩ−ＲＳリソースは、基準信号受信電力の測定に用いられる。前記基準信号受信電力は、Ｌ１−ＲＳＲＰであってもよく、Ｌ１−ＳＩＮＲに対応する分子であってもよい。前記干渉測定リソースは、ノイズ及び干渉電力の測定に用いられる。前記ＲＳＳＩ測定リソースは、ＲＳＳＩの測定に用いられる。
【００５９】
なお、前記ＣＳＩリソースに１種類のリソースが含まれる場合、前記ＣＳＩリソースの最初のＯＦＤＭシンボルは、少なくとも１つのＳＳＢリソース又は少なくとも１つのＣＳＩ−ＲＳリソースの最初のＯＦＤＭシンボルと理解できる。前記ＣＳＩリソースに複数種類のリソースが含まれる場合、該複数種類のリソースは、一回に送信され、前記ＣＳＩリソースの最初のＯＦＤＭシンボルは、該複数種類のリソースのうち一番最初に送信されるリソースの最初のＯＦＤＭシンボルと理解できる。
【００６０】
前記Ｚ´は、端末がビーム測定情報を算出するのに必要なＯＦＤＭシンボル数と理解できる。
【００６１】
本開示の実施例において、Ｚ´は、表１で決められるＢＲｉから得られる。
【００６２】
【表１】
2022501967.tif 000003
【００６３】
ＣＳＩ処理ユニットの占有時間を理解しやすくするために、図２を参照する。
【００６４】
図２では、端末機器（上りに対応する）のサブキャリア間隔とネットワーク機器（下りに対応する）のサブキャリア間隔とは異なるものとする。ここで、各ブロックは、１つのＯＦＤＭシンボルを表す。
【００６５】
下りリンクのＯＦＤＭシンボルのうち、左から２番目から５番目までのＯＦＤＭシンボルは、ＣＳＩリソースのＯＦＤＭシンボルである。該ＣＳＩリソースは、ＣＳＩ報告を伝送するＰＵＳＣＨ又はＰＵＣＣＨの最初のＯＦＤＭシンボル前のＺ´個のＯＦＤＭシンボルで直近の回に送信されるＣＳＩリソースである。
【００６６】
上りリンクのＯＦＤＭシンボルのうち、右から２番目と３番目のＯＦＤＭシンボルは、ＣＳＩ報告を伝送するためのＰＵＣＣＨ又はＰＵＳＣＨのＯＦＤＭシンボルである。
【００６７】
図２から分かるように、ＣＳＩ処理ユニットの占有時間は、ＣＳＩリソースの最初のＯＦＤＭシンボルから、ＰＵＳＣＨ又はＰＵＣＣＨの最後のＯＦＤＭシンボルまでである。
【００６８】
一般に、端末機器からネットワーク機器にビーム測定情報を報告する場合、ＣＳＩ報告の時間領域特徴が周期的又は準持続的であると、ＣＳＩ処理ユニットの占有時間は、該ＣＳＩ報告を伝送するＰＵＳＣＨ又はＰＵＣＣＨの最初のＯＦＤＭシンボル前のＺ´個のＯＦＤＭシンボルで直近の回に送信されたＣＳＩリソースの最初のＯＦＤＭシンボル（存在する場合）から、該ＣＳＩ報告を伝送するＰＵＳＣＨ又はＰＵＣＣＨの最後のＯＦＤＭシンボルまでである。
【００６９】
別の実現方式において、ＣＳＩ報告の時間領域特徴が非周期的である場合、ＣＳＩ処理ユニットの占有時間を決定することは、ＣＳＩ報告をトリガする物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）の後の最初のＯＦＤＭシンボルから、ＣＳＩ報告を伝送するＰＵＳＣＨの最後のＯＦＤＭシンボルまでを、ＣＳＩ処理ユニットの占有時間とすることを含む。
【００７０】
ＣＳＩ報告をトリガするＰＤＣＣＨは、下り制御情報ＤＣＩ（Ｄｏｗｎｌｉｎｋ  Ｃｏｎｔｒｏｌ  Ｉｎｆｏｒｍａｔｉｏｎ）を含んでもよい。ネットワーク機器は、ＤＣＩにおけるＣＳＩ要求フィールド（ＣＳＩ  ｒｅｑｕｅｓｔ  ｆｉｅｌｄ）によってＣＳＩ報告をトリガする。
【００７１】
ＣＳＩ処理ユニットの占有時間を理解しやすくするために、図３を参照する。
【００７２】
図３では、端末機器のサブキャリア間隔とネットワーク機器のサブキャリア間隔とは異なるものとし、各ブロックは、１つのＯＦＤＭシンボルを表す。
【００７３】
下りリンクのＯＦＤＭシンボルのうち、左から２番目から５番目までのＯＦＤＭシンボルは、ＣＳＩリソースのＯＦＤＭシンボルであり、７番目と８番目のＯＦＤＭシンボルは、ＣＳＩ報告をトリガするためのＰＤＣＣＨのＯＦＤＭシンボルである。
【００７４】
上りリンクのＯＦＤＭシンボルのうち、右から２番目及び３番目のＯＦＤＭシンボルは、ＣＳＩ報告を伝送するためのＰＵＳＣＨのＯＦＤＭシンボルである。
【００７５】
図３から分かるように、ＣＳＩ処理ユニットの占有時間は、該ＣＳＩ報告をトリガするＰＤＣＣＨの後の最初のＯＦＤＭシンボルから、該ＣＳＩ報告を伝送するＰＵＳＣＨの最後のＯＦＤＭシンボルまでである。
【００７６】
なお、ＣＳＩ報告の時間領域特徴が非周期的ＣＳＩリソースに基づく非周期的である場合、ＣＳＩ処理ユニットの占有時間が以下の条件を満たす場合にのみ、ＣＳＩ報告が更新される。
【００７７】
第１に、タイミングアドバンスを考慮すると、ＣＳＩ報告を伝送するＰＵＳＣＨ又はＰＵＣＣＨの最初の上りリンクＯＦＤＭシンボルは、Ｚｒｅｆ番目のＯＦＤＭシンボル以降であり、且つＺ´ｒｅｆ番目のＯＦＤＭシンボル以降である場合。
第２に、前記ＣＳＩリソースの最後のＯＦＤＭシンボルと、ＣＳＩ報告を伝送するＰＵＳＣＨ又はＰＵＣＣＨの最初のＯＦＤＭシンボルとの間のシンボル数は、Ｚ´以上であり、且つＣＳＩ報告をトリガするＰＤＣＣＨの最初のＯＦＤＭシンボルから、ＣＳＩ報告を伝送するためのＰＵＳＣＨ又はＰＵＣＣＨの最初のＯＦＤＭシンボルまでの間のシンボル数は、Ｚ以上である場合。
【００７８】
即ち、ビーム測定情報の算出が保証できる場合にのみ、ＣＳＩ報告が更新される。
【００７９】
Ｚｒｅｆは、サイクリックプレフィックスＣＰ（Ｃｙｃｌｉｃ  Ｐｒｅｆｉｘ）の開始時刻としてＣＳＩ報告をトリガするためのＰＤＣＣＨの最後のＯＦＤＭシンボルから
Ｔ＝（Ｚ）（２０４８＋１４４）κ２−μＴｃ（秒）が経った最初の上りリンクＯＦＤＭシンボルに定義される。
【００８０】
ＣＳＩ報告が非周期的ＣＳＩ−ＲＳリソースに基づくＣＳＩ報告である場合、Ｚ´ｒｅｆ  は、ＣＰの開始時刻としてチャネル測定の非周期的ＣＳＩ−ＲＳリソース、干渉測定の非周期的ＣＳＩ−ＩＭ（ＣＳＩ  Ｉｎｔｅｒｆｅｒｅｎｃｅ  Ｍｅａｓｕｒｅｍｅｎｔ）リソース及び干渉測定の非周期的ＮＺＰ（Ｎｏｎ−ｚｅｒｏ  Ｐｏｗｅｒ）  ＣＳＩ−ＲＳリソースのうち最後のＯＦＤＭシンボルから
Ｔ’＝（Ｚ’）（２０４８＋１４４）κ２−μＴ’ｃ（秒）が経った最初の上りリンクＯＦＤＭシンボルに定義される。
【００８１】
Ｚｒｅｆ及びＺ´ｒｅｆを理解しやすくするために、図４を参照する。
【００８２】
図４では、端末機器とネットワーク機器に使用されるサブキャリア間隔が同一であると仮定すると、Ｚｒｅｆは、ＰＤＣＣＨの最後のＯＦＤＭシンボルから期間Ｔが経った最初のＯＦＤＭシンボルとして表現され、Ｚ´ｒｅｆは、ＣＳＩ−ＲＳリソース及びＣＳＩ−ＩＭリソースの最後のＯＦＤＭシンボルから期間Ｔ´が経った最初のＯＦＤＭシンボルとして表現される。
【００８３】
Ｚ´は、ビーム測定情報を算出するＯＦＤＭシンボル数を表し、上記実施方式１に記載したＺ´と同じである。
【００８４】
Ｚは、Ｚ´に関係する。ここで、Ｚ´は、上記の表１で決められるＲＢｉから得られる。ＺとＺ´の差は、一定値である。該一定値は、関連技術で規定されたＣＳＩ報告におけるＺ１とＺ１´の差と同じであるか、又はＺ２とＺ２´の差と同じである。
【００８５】
下記表２及び表３のように示す。表２及び表３において、μ＝１、２、３、４は、それぞれサブキャリア間隔１５ＫＨｚ、３０ＫＨｚ、６０ＫＨｚ、１２０ｋＨｚに対応する。ここで、表２は、低遅延要求の応用シーンに適用し、表３は、高遅延要求の応用シーンに適用する。
【００８６】
【表２】
2022501967.tif 000004
【００８７】
【表３】
2022501967.tif 000005
【００８８】
上記表２及び表３に基づいて、Ｚ´が既知である場合、対応するＺが決められる。
【００８９】
例えば、低遅延３０ＫＨｚのサブキャリア間隔のシーンで、Ｚ´が８であることが上記の表１に基づいて決められると、表２の３０ＫＨｚサブキャリア間隔に対応するＺ１及びＺ１´から、Ｚ＝Ｚ１−Ｚ１´＋Ｚ´＝１０が得られる。
【００９０】
以上は、端末機器からネットワーク機器に報告されるＣＳＩ情報がビーム測定情報である場合、ＣＳＩ処理ユニットの占有時間をどのように決定するかについての説明であるが、以下は、端末機器からネットワーク機器に報告されるＣＳＩ情報が内容なしであり且つＣＳＩ−ＲＳリソースがＴＲＳ測定に用いられない場合、ＣＳＩ処理ユニットの占有時間をどのように決定するかについて説明する。
【００９１】
本開示の一実施例において、ＣＳＩ報告種類として、ネットワーク機器に報告されるＣＳＩ情報が内容なしであり且つＣＳＩ−ＲＳリソースがＴＲＳ測定に用いられないことである場合、ＣＳＩ処理ユニットの占有時間を決定することは、前記ＣＳＩ報告の時間領域特徴及び物理上りリンクリソースの設定状況に基づいて、前記ＣＳＩ処理ユニットの占有時間を決定することを含み、前記物理上りリンクリソースがＰＵＣＣＨリソース又はＰＵＳＣＨリソースである。
【００９２】
本実施例において、ＣＳＩ報告の時間領域特徴及び物理上りリンクリソース（ＰＵＣＣＨリソース又はＰＵＳＣＨリソース）の設定状況に基づいて、ＣＳＩ処理ユニットの占有時間を決定する。ここで、本実施例に対応するＣＳＩ報告設定における報告量はなしに設定される。
【００９３】
端末機器からネットワーク機器に報告されるＣＳＩ情報が内容なしである場合、ＣＳＩ報告の時間領域特徴は、２種類を含み、１つは、周期的又は準持続的であり、もう１つは、非周期的である。ここで、ＣＳＩ報告の時間領域特徴が周期的又は準持続的である場合、ＳＳＢリソースに基づく周期的又は準持続的ＣＳＩ報告であってもよく、周期的ＣＳＩ−ＲＳリソースに基づく周期的又は準持続的ＣＳＩ報告であってもよく、更に準持続的ＣＳＩ−ＲＳリソースに基づく準持続的ＣＳＩ報告であってもよく、ここでは具体的に限定しない。ＣＳＩ報告の時間領域特徴が非周期的である場合、ＳＳＢリソースに基づく非周期的ＣＳＩ報告であってもよく、周期的又は準持続的ＣＳＩ−ＲＳリソースに基づく非周期的ＣＳＩ報告であってもよく、更に非周期的ＣＳＩ−ＲＳリソースに基づく非周期的ＣＳＩ報告であってもよいが、ここでは具体的に限定しない。
【００９４】
前記物理上りリンクリソースの設定状況は、２種類を含み、１つは、ネットワーク機器から端末機器に対して物理上りリンクリソースを設定済みであり、即ちＰＵＣＣＨリソース又はＰＵＳＣＨリソースが存在し、もう１つは、ネットワーク機器から端末機器に対して物理上りリンクリソースを設定しておらず、即ちＰＵＣＣＨリソース及びＰＵＳＣＨリソースが存在しない。ここで、ネットワーク機器から端末機器に対して設定した物理上りリンクリソースが０である場合、ネットワーク機器から端末機器に対して物理上りリンクリソースを設定していないと理解できる。
【００９５】
以下、ＣＳＩ報告の２種類の異なる時間領域特徴及び２種類の異なる物理上りリンクリソース設定状況に対し、ＣＳＩ報告の占有時間をどのように決定するかを説明する。
【００９６】
実現方式１において、ＣＳＩ報告の時間領域特徴が周期的又は準持続的であり、且つ物理上りリンクリソースがネットワーク機器によって設定済みである場合、ＣＳＩ処理ユニットの占有時間を決定することは、ＣＳＩリソースの最初のＯＦＤＭシンボルから、設定された前記ＣＳＩ報告の周期的又は準持続的ＰＵＣＣＨ又はＰＵＳＣＨの（１＋ｘ）番目のＯＦＤＭシンボルまでを、前記ＣＳＩ処理ユニットの占有時間とすること、又は、ＣＳＩリソースの最初のＯＦＤＭシンボルから、設定された前記ＣＳＩ報告の周期的又は準持続的ＰＵＣＣＨ又はＰＵＳＣＨの最後のＯＦＤＭシンボルまでを、前記ＣＳＩ処理ユニットの占有時間とすることを含む。
【００９７】
前記ＣＳＩリソースは、前記ＰＵＳＣＨ又は前記ＰＵＣＣＨの最初のＯＦＤＭシンボル前のＺ´個のＯＦＤＭシンボルで直近の回に送信される少なくとも１つのＣＳＩリソースのうち最も古いＣＳＩリソースである。
【００９８】
前記ＣＳＩリソースは、前記ＣＳＩ報告設定に関連するＣＳＩリソース設定における少なくとも１つのＳＳＢリソース又は少なくとも１つのＣＳＩ−ＲＳリソースを含むことが必要であり、これに加えて、前記ＣＳＩ報告設定に関連するＣＳＩリソース設定における少なくとも１つの干渉測定リソース又は少なくとも１つのＲＳＳＩ測定リソースを更に含む。具体的には、上記実施例１でＣＳＩリソースに関する記載を参照し、ここでは繰り返して説明しない。
【００９９】
前記Ｚ´は、上記実施例１に記載のＺ´と同じであり、即ちビーム測定情報の算出に必要なＯＦＤＭシンボル数である。前記Ｚ´は、具体的に上記表１で決められるＢＲｉから得られるが、ここでは繰り返して説明しない。
【０１００】
前記ｘは、整数である。ここで、ｘ＝−１は、該ＣＳＩ報告が設定されたＰＵＳＣＨ又はＰＵＣＣＨの最初のＯＦＤＭシンボルの１つ前のＯＦＤＭシンボルを示す。ＣＳＩ処理ユニットの占有時間は、ＣＳＩリソースの最初のＯＦＤＭシンボルから、設定されたＣＳＩ報告の周期的又は準持続的ＰＵＣＣＨ又はＰＵＳＣＨの１つ前のＯＦＤＭシンボルまでである。
ｘ＝０は、該ＣＳＩ報告が設定されたＰＵＳＣＨ又はＰＵＣＣＨの最初のＯＦＤＭシンボルを示す。ＣＳＩ処理ユニットの占有時間は、ＣＳＩリソースの最初のＯＦＤＭシンボルから、設定されたＣＳＩ報告の周期的又は準持続的ＰＵＣＣＨ又はＰＵＳＣＨの最初のＯＦＤＭシンボルまでである。
ｘ＝１は、該ＣＳＩ報告が設定されたＰＵＳＣＨ又はＰＵＣＣＨの最初のＯＦＤＭシンボルの次のＯＦＤＭシンボルを示す。ＣＳＩ処理ユニットの占有時間は、ＣＳＩリソースの最初のＯＦＤＭシンボルから、設定されたＣＳＩ報告の周期的又は準持続的ＰＵＣＣＨ又はＰＵＳＣＨの最初のＯＦＤＭシンボルの次のＯＦＤＭシンボルまでである。以下同様に類推する。
【０１０１】
ＣＳＩ処理ユニットの占有時間を理解しやすくするために、ｘ＝−１を例として説明する。図５を参照する。
【０１０２】
図５では、端末機器のサブキャリア間隔とネットワーク機器のサブキャリア間隔とは異なるものとし、各ブロックは、１つのＯＦＤＭシンボルを表す。
【０１０３】
下りリンクのＯＦＤＭシンボルのうち、左から２番目から５番目までのＯＦＤＭシンボルは、ＣＳＩリソースのＯＦＤＭシンボルであり、該ＣＳＩリソースは、ＣＳＩ報告が設定されたＰＵＳＣＨ又はＰＵＣＣＨの最初のＯＦＤＭシンボル前のＺ´個のＯＦＤＭシンボルで直近の回に送信されるＣＳＩリソースである。左から７番目と８番目のＯＦＤＭシンボルは、ＣＳＩ報告をトリガするためのＰＤＣＣＨのＯＦＤＭシンボルを示す。
【０１０４】
上りリンクのＯＦＤＭシンボルのうち、右から２番目及び３番目のＯＦＤＭシンボルは、ＣＳＩ報告を設定するためのＰＵＣＣＨ又はＰＵＳＣＨのＯＦＤＭシンボルである。
【０１０５】
図５から分かるように、ＣＳＩ処理ユニットの占有時間は、ＣＳＩリソースの最初のＯＦＤＭシンボルから、ＣＳＩ報告が設定された周期的又は準持続的ＰＵＣＣＨ又はＰＵＳＣＨの１つ前のＯＦＤＭシンボルまでである。
【０１０６】
一般に、ＣＳＩ報告が周期的又は準持続的であり、且つ物理上りリンクリソースがネットワーク機器によって設定済みである場合、ＣＳＩ処理ユニットの占有時間は、設定された周期的又は準持続的ＰＵＳＣＨ／ＰＵＣＣＨの最初のシンボル前のＺ´個のＯＦＤＭシンボルで直近の回に送信されるＣＳＩリソースの最初のＯＦＤＭシンボル（存在する場合）から、該ＣＳＩ報告が設定された周期的又は準持続的ＰＵＳＣＨ／ＰＵＣＣＨの最初のＯＦＤＭシンボル＋ｘ個のＯＦＤＭシンボルの位置まで、又は、設定されたＣＳＩ報告の周期的又は準持続的ＰＵＣＣＨ／ＰＵＳＣＨの最後のＯＦＤＭシンボルまでである。ここで、ｘは、整数である。
【０１０７】
前記ＣＳＩリソースは、前記ＣＳＩ報告に対応するＣＳＩ基準リソースの直近の送信以前の少なくとも１つのＣＳＩリソースのうち最も古いＣＳＩリソースである。ここで、前記ＣＳＩ基準リソースは、関連技術の標準で定義される基準リソースであってもよく、周期的又は準持続的に送信されるＣＳＩ−ＲＳリソースに関係してもよい。前記ＣＳＩ基準リソースが周期的又は準持続的に送信されるＣＳＩ−ＲＳリソースに関係する場合、前記ＣＳＩ基準リソースは、毎回送信される少なくとも１つのＣＳＩ−ＲＳリソースのうち最初のＣＳＩ−ＲＳリソースの最初のＯＦＤＭシンボルであり、又は、毎回送信される少なくとも１つのＣＳＩ−ＲＳリソースのうち最後のＣＳＩ−ＲＳリソースの最後のＯＦＤＭシンボルである。
【０１０８】
理解しやすくするために、図６を参照する。
【０１０９】
図６では、端末機器のサブキャリア間隔とネットワーク機器のサブキャリア間隔とは異なるものとし、各ブロックは、１つのＯＦＤＭシンボルを表す。
【０１１０】
図６からわかるように、ＣＳＩ処理ユニットの占有時間は、ＣＳＩリソースの最初のＯＦＤＭシンボルから、設定されたＣＳＩ報告のＰＵＣＣＨ又はＰＵＳＣＨの最後のＯＦＤＭシンボルまでである。ここで、前記ＣＳＩリソースは、ＣＳＩ報告に対応するＣＳＩ基準リソースの直近の送信以前のＣＳＩリソースであり、前記ＣＳＩ基準リソースの定義は、毎回送信されるＣＳＩ−ＲＳリソースに関係する。
【０１１１】
実現方式２では、ＣＳＩ報告の時間領域特徴が周期的又は準持続的であり、且つ前記物理上りリンクリソースがネットワーク機器によって設定済みであるか、又は未設定である場合、ＣＳＩ処理ユニットの占有時間を決定することは、ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、ＣＳＩ処理ユニットの占有時間とすることを含む。
【０１１２】
前記ＣＳＩリソースは、毎回送信される少なくとも１つのＣＳＩリソースのうち最も古いＣＳＩリソースである。
【０１１３】
前記ＣＳＩリソースは、前記ＣＳＩ報告設定に関連するＣＳＩリソース設定における少なくとも１つのＳＳＢリソース又は少なくとも１つのＣＳＩ−ＲＳリソースを含むことが必要であり、これに加えて、前記ＣＳＩ報告設定に関連するＣＳＩリソース設定における少なくとも１つの干渉測定リソース又は少なくとも１つのＲＳＳＩ測定リソースを更に含む。具体的には、上記実施例１でＣＳＩリソースに関する記載を参照し、ここでは繰り返して説明しない。
【０１１４】
前記Ｚ´は、上記実施例１に記載したＺ´と同じであり、即ち、ビーム測定情報の算出に必要なＯＦＤＭシンボル数である。前記Ｚ´は、具体的に上記表１で決められるＢＲｉから得られるが、ここでは繰り返して説明しない。
【０１１５】
前記ｙは、０以上の整数である。ここで、ｙ＝０は、ＣＳＩリソースの最後のＯＦＤＭシンボルの後のＺ´個のＯＦＤＭシンボルを示す。ＣＳＩ処理ユニットの占有時間は、ＣＳＩリソースの最初のＯＦＤＭシンボルから、ＣＳＩリソースの最後のＯＦＤＭシンボルの後のＺ´個のＯＦＤＭシンボルまでである。
ｙ＝１は、ＣＳＩリソースの最後のＯＦＤＭシンボルの後の（Ｚ´＋１）個のＯＦＤＭシンボルを示す。ＣＳＩ処理ユニットの占有時間は、ＣＳＩリソースの最初のＯＦＤＭシンボルから、ＣＳＩリソースの最後のＯＦＤＭシンボルの後の（Ｚ´＋１）個のＯＦＤＭシンボルまでである。以下同様に類推する。
【０１１６】
ＣＳＩ処理ユニットの占有時間を理解しやすくするために、ｙ＝０を例として説明する。図７を参照する。
【０１１７】
図７では、端末機器のサブキャリア間隔とネットワーク機器のサブキャリア間隔とは異なるものとし、各ブロックは、１つのＯＦＤＭシンボルを表す。
【０１１８】
下りリンクのＯＦＤＭシンボルのうち、左から２番目から５番目までのＯＦＤＭシンボルは、一回に送信されるＣＳＩリソースのＯＦＤＭシンボルである。
【０１１９】
上りリンクのＯＦＤＭシンボルのうち、物理上りリンクリソースがネットワーク機器によって設定済みである場合、右から２番目及び３番目のＯＦＤＭシンボルは、設定された物理上りリンクリソースのＯＦＤＭシンボルであり、即ち、ＣＳＩ報告を設定するためのＰＵＣＣＨ又はＰＵＳＣＨのＯＦＤＭシンボルである。
【０１２０】
図７から分かるように、ＣＳＩ処理ユニットの占有時間は、ＣＳＩリソースの最初のＯＦＤＭシンボルから、該ＣＳＩリソースの最後のＯＦＤＭシンボルの後のＺ´個のＯＦＤＭシンボルまでである。
【０１２１】
一般に、ＣＳＩ報告が周期的又は準持続的であり、且つ物理上りリンクリソースがネットワーク機器によって設定済みであるか、又は未設定である場合、ＣＳＩ処理ユニットの占有時間は、毎回送信されるＣＳＩリソースの最初のＯＦＤＭシンボルから、該ＣＳＩリソースの最後のＯＦＤＭシンボルの後のＺ´個のＯＦＤＭシンボル＋ｙ個のＯＦＤＭシンボルまでであり、ＣＳＩ報告を設定する物理上りリンクリソース（即ちＰＵＣＣＨリソース又はＰＵＳＣＨリソース）とは関係しない。
【０１２２】
前記ＣＳＩリソースは、前記ＣＳＩ報告に対応するＣＳＩ基準リソースの直近の送信以前の少なくとも１つのＣＳＩリソースのうち最も古いＣＳＩリソースである。前記ＣＳＩ基準リソースは、上記のＣＳＩ基準リソースと同じであり、ここでは繰り返して説明しない。
【０１２３】
理解しやすくするために、図８を参照する。
【０１２４】
図８では、端末機器のサブキャリア間隔とネットワーク機器のサブキャリア間隔とは異なるものとし、各ブロックは、１つのＯＦＤＭシンボルを表す。
【０１２５】
図８から分かるように、ＣＳＩ処理ユニットの占有時間は、ＣＳＩリソースの最初のＯＦＤＭシンボルから、前記ＣＳＩリソースの最後のシンボルの後のＺ´個のシンボルまでである。ここで、ｙ＝０である。前記ＣＳＩリソースは、前記ＣＳＩ報告に対応するＣＳＩ基準リソースの直近の送信以前のＣＳＩリソースである。前記ＣＳＩ基準リソースは、関連技術の標準に定義されたＣＳＩ基準リソースである。
【０１２６】
なお、上記２種類の実現方式では、即ちＣＳＩ報告の時間領域特徴が周期的又は準持続的である場合、ＣＳＩリソースの測定周期及びスロットオフセットは、前記ＣＳＩ報告リソースの送信周期及びスロットオフセットと一致を保つ。
【０１２７】
前記ＣＳＩリソースは、前記ＣＳＩ報告設定に関連するＣＳＩリソース設定における少なくとも１つのＳＳＢリソース又は少なくとも１つのＣＳＩ−ＲＳリソースを含むことが必要であり、これに加えて、前記ＣＳＩ報告設定に関連するＣＳＩリソース設定における少なくとも１つの干渉測定リソース又は少なくとも１つのＲＳＳＩ測定リソースを更に含む。ＣＳＩ報告設定に関するＣＳＩリソースをネットワーク機器から端末機器に対して設定した後に、端末機器は、ビーム測定を行う際に、ＣＳＩリソースの測定周期及びスロットオフセットを、別途規定する必要がなく、ネットワーク機器によって設定されるＣＳＩリソースの送信周期及びスロットオフセットに一致させる。
【０１２８】
実施方式３では、ＣＳＩ報告の時間領域特徴が非周期的であり、且つ前記物理上りリンクリソースがネットワーク機器によって設定済みである場合、ＣＳＩ処理ユニットの占有時間を決定することは、ＣＳＩ報告をトリガするＰＤＣＣＨの後の最初のＯＦＤＭシンボルから、前記ＣＳＩ報告を設定するＰＵＳＣＨの最後のシンボルまでを、ＣＳＩ処理ユニットの占有時間とすることを含む。
【０１２９】
ＣＳＩ報告をトリガするＰＤＣＣＨは、ＤＣＩを含んでもよく、ＤＣＩにおけるＣＳＩ要求フィールド（ＣＳＩ  ｒｅｑｕｅｓｔ  ｆｉｅｌｄ）によってＣＳＩ報告をトリガする。
【０１３０】
本実施例の具体的な実現方式は、上記図３及び図４に示す実施例に記載の内容を参照し、ここでは繰り返して記載しない。
【０１３１】
実現方式４では、ＣＳＩ報告の時間領域特徴が非周期的であり、且つ前記物理上りリンクリソースがネットワーク機器によって設定済みであるか、又は未設定である場合、ＣＳＩ処理ユニットの占有時間を決定することは、前記ＣＳＩ報告をトリガするＰＤＣＣＨの後の最初のＯＦＤＭシンボルから、第１ＯＦＤＭシンボル及び第２ＯＦＤＭシンボルの一方まで、又は、前記第１ＯＦＤＭシンボル及び前記第２ＯＦＤＭシンボルのうち最も遅いＯＦＤＭシンボルにプラスｙ個のＯＦＤＭシンボルまでを、前記ＣＳＩ処理ユニットの占有時間とすることを含む。
【０１３２】
前記第１ＯＦＤＭシンボルは、ＣＳＩ報告をトリガするＰＤＣＣＨの後の最初のＯＦＤＭシンボルの後のＺ個のＯＦＤＭシンボルであり、前記第２ＯＦＤＭシンボルは、ＣＳＩリソースの最後のＯＦＤＭシンボルの後のＺ´個のＯＦＤＭシンボルである。
【０１３３】
前記ＣＳＩリソースは、前記ＣＳＩ報告設定に関連するＣＳＩリソース設定における少なくとも１つのＳＳＢリソース又は少なくとも１つのＣＳＩ−ＲＳリソースを含むことが必要であり、これに加えて、前記ＣＳＩ報告設定に関連するＣＳＩリソース設定における少なくとも１つの干渉測定リソース又は少なくとも１つのＲＳＳＩ測定リソースを更に含む。
【０１３４】
前記Ｚ´は、上記実施例１に記載のＺ´と同じであり、即ちビーム測定情報の算出に必要なＯＦＤＭシンボル数である。前記Ｚ´は、上記の表１で決められるＢＲｉから得られる。
【０１３５】
前記Ｚは、上記実施例１に記載のＺと同じである。即ち、Ｚは、前記Ｚ´に関係する。Ｚは、Ｚ´に基づいて、上記表２及び表３から得られてもよい。
【０１３６】
前記ｎは、０以上の整数である。
【０１３７】
ＣＳＩ処理ユニットの占有時間は、前記ＣＳＩ報告をトリガするＰＤＣＣＨの後の最初のＯＦＤＭシンボルから、第１ＯＦＤＭシンボル及び第２ＯＦＤＭシンボルの一方までである場合、理解しやすくするために、図９を参照する。
【０１３８】
図９では、端末機器のサブキャリア間隔とネットワーク機器のサブキャリア間隔とは異なるものとし、各ブロックは、１つのＯＦＤＭシンボルを表す。
【０１３９】
下りリンクのＯＦＤＭシンボルのうち、左から２番目から５番目までのＯＦＤＭシンボルは、一回に送信されるＣＳＩリソースのＯＦＤＭシンボルである。
【０１４０】
上りリンクのＯＦＤＭシンボルのうち、物理上りリンクリソースがネットワーク機器によって設定済みである場合、右から２番目及び３番目のＯＦＤＭシンボルは、設定された物理上りリンクリソースのＯＦＤＭシンボルであり、即ちＣＳＩ報告を設定するためのＰＵＣＣＨ又はＰＵＳＣＨのＯＦＤＭシンボルである。
【０１４１】
図９から分かるように、ＣＳＩ処理ユニットの占有時間は、ＣＳＩ報告をトリガするＰＤＣＣＨの後の最初のＯＦＤＭシンボルから、前記第１ＯＦＤＭシンボル、即ちＣＳＩ報告をトリガするＰＤＣＣＨの後のＺ個のＯＦＤＭシンボルまでである。
【０１４２】
ＣＳＩ処理ユニットの占有時間は、前記ＣＳＩ報告をトリガするＰＤＣＣＨの後の最初のＯＦＤＭシンボルから、第１ＯＦＤＭシンボル及び第２ＯＦＤＭシンボルのうち最も遅いＯＦＤＭシンボルにプラスｎ個のＯＦＤＭシンボルまでである場合、理解しやすくするために、図１０を参照する。
【０１４３】
図１０では、ｎ＝０とし、端末機器のサブキャリア間隔とネットワーク機器のサブキャリア間隔とは異なるものとし、各ブロックは、１つのＯＦＤＭシンボルを表す。
【０１４４】
下りリンクのＯＦＤＭシンボルのうち、左から２番目から５番目までのＯＦＤＭシンボルは、一回に送信されるＣＳＩリソースのＯＦＤＭシンボルである。
【０１４５】
上りリンクのＯＦＤＭシンボルのうち、物理上りリンクリソースがネットワーク機器によって設定済みである場合、右から２番目及び３番目のＯＦＤＭシンボルは、設定された物理上りリンクリソースのＯＦＤＭシンボルであり、即ち、ＣＳＩ報告を設定するためのＰＵＣＣＨ又はＰＵＳＣＨのＯＦＤＭシンボルである。
【０１４６】
図１０から分かるように、ＣＳＩ処理ユニットの占有時間は、ＣＳＩ報告をトリガするＰＤＣＣＨの後の最初のＯＦＤＭシンボルから、前記第１ＯＦＤＭシンボル及び前記第２ＯＦＤＭシンボルのうち遅い方の第２ＯＦＤＭシンボル、即ちＣＳＩリソースの最後のＯＦＤＭシンボルの後のＺ´個のＯＦＤＭシンボルまでである。
【０１４７】
一般に、ＣＳＩ報告が非周期的であり、且つ物理上りリンクリソースがネットワーク機器によって設定済みであるか、又は未設定である場合、ＣＳＩ処理ユニットの占有時間は、該ＣＳＩ報告をトリガするＰＤＣＣＨの後の最初のシンボルから、（１）該ＣＳＩ報告をトリガするＰＤＣＣＨの後の最初のＯＦＤＭシンボルの後のＺ個のＯＦＤＭシンボル、（２）ＣＳＩリソースの最後のＯＦＤＭシンボルの後のＺ´個のＯＦＤＭシンボル、の両者のうちの１つ、又は両者のうち遅い方のＯＦＤＭシンボル＋ｎ個のＯＦＤＭシンボルまでである。ここで、ｎ＝０、１、２、・・・である。
【０１４８】
なお、上記の各実施例において、ビーム測定情報を報告する非周期的ＣＳＩ報告、又は、報告されるＣＳＩ情報が内容なしであり且つＣＳＩ−ＲＳリソースがＴＲＳ測定に用いられない非周期的ＣＳＩ報告をトリガすることは、いずれも１つの非周期的ＣＳＩ報告をトリガすることである。１つのＤＣＩによって複数の非周期的ＣＳＩ報告をトリガし、且つそのうちの１つのＣＳＩ報告が、ビーム測定情報を報告する非周期的ＣＳＩ報告であり、又は報告されるＣＳＩ情報が内容なしであり且つＣＳＩ−ＲＳリソースがＴＲＳ測定に用いられない非周期的ＣＳＩ報告である場合、関連技術において複数の非周期的ＣＳＩ報告をトリガする規則でＺ又はＺ´を決定する。即ち、Ｚ＝ｍａｘ（Ｚ（ｍ））、Ｚ´＝ｍａｘ（Ｚ´（ｍ））である。
【０１４９】
本開示の１つの特別な実施例において、前記ＣＳＩ報告種類として、前記ネットワーク機器に報告されるビーム測定情報が内容なしであり且つＣＳＩ−ＲＳリソースがＴＲＳ測定に用いられないことである場合、ＣＳＩ処理ユニットを占有しないと決定し、即ちＣＳＩ処理ユニットの占有時間を０とする。この場合、端末機器内の他の処理ユニットによってＣＳＩを算出する。
【０１５０】
本開示の実施例による技術手段では、ビーム管理において、端末機器内のＣＳＩ処理ユニットの占有時間を決定する際に、ＣＳＩ報告設定におけるＣＳＩ報告種類に基づいて、前記ＣＳＩ処理ユニットの占有時間を決定する。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。このように、ビーム管理において、ネットワーク機器に報告されるＣＳＩ情報がビーム測定情報である応用シーン、及び、報告されるＣＳＩ情報が内容なしであり且つＣＳＩ−ＲＳリソースがＴＲＳ測定に用いられない応用シーンで、端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【０１５１】
図１１は、本開示の一実施例に係るチャネル状態情報ＣＳＩ処理ユニットの占有時間の決定方法のフローチャートである。前記方法は、端末機器に応用される。前記方法は、以下のように記載される。
【０１５２】
Ｓ１１２において、ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記ＣＳＩ処理ユニットの占有時間を決定する。
【０１５３】
本開示の実施例において、ＣＳＩ報告設定がネットワーク機器によって設定されておらず、前記ＣＳＩ−ＲＳリソース設定における繰り返しがＯｎに設定され（即ち、ｒｅｐｅｔｉｔｉｏｎが「ｏｎ」である）、前記ＣＳＩ−ＲＳリソース設定に設定されるＣＳＩ−ＲＳの時間領域特徴が周期的ＣＳＩ−ＲＳである場合、端末機器は、周期的なＣＳＩ報告なしのビーム測定を行う。又は、前記ＣＳＩ−ＲＳリソースが準持続的ＣＳＩ−ＲＳの時間領域特徴に設定されて且つ活性化される場合、端末機器は、準持続的なＣＳＩ報告なしのビーム測定を行う。
【０１５４】
端末機器が、前記ネットワーク機器から毎回送信されたＣＳＩ−ＲＳリソースに基づいて、前記ＣＳＩ処理ユニットの占有時間を決定することは、ＣＳＩ−ＲＳリソースの最初のＯＦＤＭシンボルから、前記ＣＳＩ−ＲＳリソースの最後のＯＦＤＭシンボルの後の（Ｚ´＋ｙ）個のＯＦＤＭシンボルまでを、前記ＣＳＩ処理ユニットの占有時間とすることを含む。前記Ｚ´は、ビーム測定情報の算出に必要なＯＦＤＭシンボル数であり、前記ｙは、０以上の整数である。前記ＣＳＩ−ＲＳリソースは、毎回送信される少なくとも１つのＣＳＩ−ＲＳリソースのうち最も古いＣＳＩ−ＲＳリソースであるか、又は、前記ＣＳＩ−ＲＳリソースは、前記ＣＳＩ報告に対応するＣＳＩ基準リソースの直近の送信以前の少なくとも１つのＣＳＩリソースのうち最も古いＣＳＩ−ＲＳリソースである。
【０１５５】
前記ＣＳＩ基準リソースは、関連技術の標準に定義される基準リソースであってもよく、周期的又は準持続的に送信されるＣＳＩ−ＲＳリソースに関係してもよい。前記ＣＳＩ基準リソースが周期的又は準持続的に送信されるＣＳＩ−ＲＳリソースに関係する場合、前記ＣＳＩ基準リソースは、毎回送信される少なくとも１つのＣＳＩ−ＲＳリソースのうち最初のＣＳＩ−ＲＳリソースの最初のＯＦＤＭシンボルであり、又は、毎回送信される少なくとも１つのＣＳＩ−ＲＳリソースのうち最後のＣＳＩ−ＲＳリソースの最後のＯＦＤＭシンボルである。
【０１５６】
理解しやすくするために、図１２及び図１３を参照する。
【０１５７】
図１２では、ＣＳＩ処理ユニットの占有時間は、ＣＳＩリソース（毎回送信されるＣＳＩリソース設定におけるＣＳＩリソースセットの１つのＣＳＩリソースグループ）の最初のＯＦＤＭシンボルから、今回の送信の最後のＣＳＩ−ＲＳリソースの最後のＯＦＤＭシンボルの後のＺ´個のＯＦＤＭシンボルまでである。ここで、ｙ＝０。Ｚ´の定義は、上記図１に示す実施例に記載のＺ´と同じである。ただし、本開示の実施例において、Ｚ´は、以下の表４及び表５から決められる。
【０１５８】
【表４】
2022501967.tif 000006
【０１５９】
【表５】
2022501967.tif 000007
【０１６０】
なお、端末機器によるＣＳＩ報告なしのビーム測定の周期及びスロットオフセットは、ＣＳＩリソース設定に設定される周期的ＣＳＩ−ＲＳ又は準持続的ＣＳＩ−ＲＳの周期及びスロットオフセットと一致する。即ち、ＣＳＩリソース設定におけるＣＳＩ−ＲＳリソースセットの１つのＣＳＩ−ＲＳリソースグループを毎回送信し且つ繰り返しを「ｏｎ」に設定し、ＵＥによる一回のＣＳＩ報告なしのビーム測定が可能なＣＳＩ報告のビーム測定周期及びスロットオフセットは、周期的又は準持続的な前記ＣＳＩ−ＲＳリソースの送信周期及びスロットオフセットに一致する。
【０１６１】
本開示の実施例による技術手段では、ビーム管理において、ＣＳＩ報告設定が設定されていない応用シーンで端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【０１６２】
本開示の実施例は、ＰＵＣＣＨ目標受信電力の決定方法を更に提供し、図１４を参照する。
【０１６３】
図１４は、本開示の一実施例に係るＰＵＣＣＨ目標受信電力の決定方法のフローチャートである。前記方法は、以下のように記載される。
【０１６４】
Ｓ１４２において、リンク回復プロセスで、端末機器がネットワーク機器からのリンク回復応答の受信に成功した後であって、前記端末機器がＰＵＣＣＨ空間関連情報に関するＭＡＣ  ＣＥ活性化又は無線リソース制御ＲＲＣ再設定シグナリングの受信に成功する前の時間内に、ＰＵＣＣＨ伝送に使用される空間フィルタリングパラメータが物理ランダムアクセスチャネルＰＲＡＣＨと同じであり、且つ前記ＰＲＡＣＨが競争に基づくＰＲＡＣＨである場合、セルレベル設定の目標受信電力及び端末機器の特定の目標受信電力に基づいて、ＰＵＣＣＨの目標受信電力を決定する。
【０１６５】
本開示の実施例において、前記リンク回復プロセスは、ビーム障害回復プロセスと理解し、リンク回復は、ビーム障害回復と理解し、ＰＵＣＣＨ伝送に使用される空間フィルタリングパラメータは、ＰＵＣＣＨ伝送に使用されるビームと理解し、前記セルレベル設定の目標受信電力は、ＰＯ＿ＮＯＭＩＮＡＬ＿ＰＵＣＣＨと表現し、前記端末機器の特定の目標受信電力は、ＰＯ＿ＵＥ＿ＰＵＣＣＨと表現する。
【０１６６】
セルレベル設定の目標受信電力及び端末機器の特定の目標受信電力に基づいて、ＰＵＣＣＨの目標受信電力を決定する場合、前記セルレベル設定の目標受信電力と前記端末機器の特定の目標受信電力との和を、前記ＰＵＣＣＨの目標受信電力とする。
【０１６７】
本開示の実施例において、ＰＯ＿ＵＥ＿ＰＵＣＣＨの値は、０であり、ＰＯ＿ＮＯＭＩＮＡＬ＿ＰＵＣＣＨの値は、ハイレイヤによって設定されるパラメータであるセルレベルの目標受信電力ｐ０−ｎｏｍｉｎａｌの値である。
【０１６８】
１つの実現方式では、ハイレイヤによってｐ０−ｎｏｍｉｎａｌが設定されていなければ、ＰＯ＿ＮＯＭＩＮＡＬ＿ＰＵＣＣＨの値は、デフォルト値０とする。
【０１６９】
別の実現方式では、ハイレイヤによってｐ０−ｎｏｍｉｎａｌが設定されていなければ、ＰＯ＿ＮＯＭＩＮＡＬ＿ＰＵＣＣＨの値は、プリアンブル目標受信電力と、メッセージ３と前記プリアンブル目標受信電力とのオフセットとの和であり、具体的に以下の式で表現される。
ＰＯ＿ＮＯＭＩＮＡＬ＿ＰＵＣＣＨ、ｆ、ｃ（０）＝ＰＯ＿ＰＲＥ＋ΔＰＲＥＡＭＢＬＥ＿Ｍｓｇ３
ここで、ＰＯ＿ＰＲＥは、プリアンブル目標受信電力ｐｒｅａｍｂｌｅＲｅｃｅｉｖｅｄＴａｒｇｅｔＰｏｗｅｒを示し、ΔＰＲＥＡＭＢＬＥ＿Ｍｓｇ３は、メッセージ３のオフセットｍｓｇ３−ＤｅｌｔａＰｒｅａｍｂｌｅを示し、ｐｒｅａｍｂｌｅＲｅｃｅｉｖｅｄＴａｒｇｅｔＰｏｗｅｒ及びｍｓｇ３−ＤｅｌｔａＰｒｅａｍｂｌｅは、いずれもハイレイヤによって設定される。
【０１７０】
本開示の実施例において、端末機器がネットワーク機器からのリンク回復応答の受信に成功した後であって、端末機器がＰＵＣＣＨ空間関連情報に関するＭＡＣ  ＣＥ活性化又はＲＲＣ再設定の受信に成功する前の時間内に、ＰＵＣＣＨ伝送に使用される空間フィルタリングパラメータがＰＲＡＣＨと同じであり、且つＰＲＡＣＨが競争に基づくＰＲＡＣＨである場合、セルレベル設定の目標受信電力及び端末機器の特定の目標受信電力に基づいて、ＰＵＣＣＨの目標受信電力を明確化することができる。
【０１７１】
図１５は、本開示の一実施例に係る端末機器の構造図である。前記端末機器は、決定モジュール１５１を含む。ここで、決定モジュール１５１は、ＣＳＩ報告設定におけるＣＳＩ報告種類に基づいて、前記ＣＳＩ処理ユニットの占有時間を決定する。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。
【０１７２】
任意に、前記決定モジュール１５１が、ＣＳＩ報告設定におけるＣＳＩ報告種類に基づいて、前記ＣＳＩ処理ユニットの占有時間を決定することは、前記ＣＳＩ報告種類として、前記ネットワーク機器に報告されるＣＳＩ情報がビーム測定情報である場合、前記ＣＳＩ報告の時間領域特徴に基づいて、前記ＣＳＩ処理ユニットの占有時間を決定することを含む。
【０１７３】
任意に、前記決定モジュール１５１が、前記ＣＳＩ報告の時間領域特徴に基づいて、前記ＣＳＩ処理ユニットの占有時間を決定することは、前記ＣＳＩ報告の時間領域特徴が周期的又は準持続的である場合、ＣＳＩリソースの最初の直交周波数分割多重ＯＦＤＭシンボルから、前記ＣＳＩ報告を伝送するための物理上りリンク共有チャネルＰＵＳＣＨ又は物理上りリンク制御チャネルＰＵＣＣＨの最後のＯＦＤＭシンボルまでを、前記ＣＳＩ処理ユニットの占有時間とすることを含む。ここで、前記ＣＳＩリソースは、前記ＰＵＳＣＨ又は前記ＰＵＣＣＨの最初のＯＦＤＭシンボル前のＺ´個のＯＦＤＭシンボルで直近の回に送信されるＣＳＩリソースであり、前記Ｚ´は、ビーム測定情報の算出に必要なＯＦＤＭシンボル数である。
【０１７４】
任意に、前記決定モジュール１５１が、前記ＣＳＩ報告の時間領域特徴に基づいて、前記ＣＳＩ処理ユニットの占有時間を決定することは、前記ＣＳＩ報告の時間領域特徴が非周期的である場合、前記ＣＳＩ報告をトリガする物理下りリンク制御チャネルＰＤＣＣＨの後の最初のＯＦＤＭシンボルから、前記ＣＳＩ報告を伝送するＰＵＳＣＨの最後のＯＦＤＭシンボルまでを、前記ＣＳＩ処理ユニットの占有時間とすることを含む。
【０１７５】
任意に、前記決定モジュール１５１が、ＣＳＩ報告設定におけるＣＳＩ報告種類に基づいて、前記ＣＳＩ処理ユニットの占有時間を決定することは、前記ＣＳＩ報告種類として、前記ネットワーク機器に報告されるＣＳＩ情報が内容なしであり且つＣＳＩ−ＲＳリソースがＴＲＳ測定に用いられないことである場合、前記ＣＳＩ報告の時間領域特徴及び前記物理上りリンクリソースの設定状況に基づいて、前記ＣＳＩ処理ユニットの占有時間を決定することを含み、前記物理上りリンクリソースがＰＵＣＣＨリソース又はＰＵＳＣＨリソースである。
【０１７６】
任意に、前記決定モジュール１５１が、前記ＣＳＩ報告の時間領域特徴及び物理上りリンクリソースの設定状況に基づいて、前記ＣＳＩ処理ユニットの占有時間を決定することは、前記ＣＳＩ報告の時間領域特徴が周期的又は準持続的であり、且つ前記物理上りリンクリソースが前記ネットワーク機器によって設定済みである場合、ＣＳＩリソースの最初のＯＦＤＭシンボルから、設定された前記ＣＳＩ報告の周期的又は準持続的ＰＵＣＣＨ又はＰＵＳＣＨの（１＋ｘ）番目のＯＦＤＭシンボルまで、又は設定された前記ＣＳＩ報告の周期的又は準持続的ＰＵＣＣＨ又はＰＵＳＣＨの最後のＯＦＤＭシンボルまでを、前記ＣＳＩ処理ユニットの占有時間とすることを含む。ここで、前記ＣＳＩリソースは、前記ＰＵＳＣＨ又は前記ＰＵＣＣＨの最初のＯＦＤＭシンボル前のＺ´個のＯＦＤＭシンボルで直近の回に送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースである。前記Ｚ´は、ビーム測定情報の算出に必要なＯＦＤＭシンボル数であり、前記ｘは、整数である。
【０１７７】
任意に、前記決定モジュール１５１が、前記ＣＳＩ報告の時間領域特徴及び物理上りリンクリソースの設定状況に基づいて、前記ＣＳＩ処理ユニットの占有時間を決定することは、前記ＣＳＩ報告の時間領域特徴が周期的又は準持続的であり、且つ前記物理上りリンクリソースが前記ネットワーク機器によって設定済みであるか、又は設定されていない場合、ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、前記ＣＳＩ処理ユニットの占有時間とすることを含む。前記Ｚ´は、ビーム測定情報の算出に必要なＯＦＤＭシンボル数であり、前記ｙは、０以上の整数である。前記ＣＳＩリソースは、毎回送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースである。
【０１７８】
任意に、前記ＣＳＩ基準リソースは、周期的又は準持続的に送信されるＣＳＩ−ＲＳリソースに関係する。
【０１７９】
任意に、前記ＣＳＩ報告の時間領域特徴が周期的又は準持続的である場合、ＣＳＩリソースの測定周期及びスロットオフセットは、前記ＣＳＩリソースの送信周期及びスロットオフセットに一致する。
【０１８０】
任意に、前記決定モジュール１５１が、前記ＣＳＩ報告の時間領域特徴及び物理上りリンクリソースの設定状況に基づいて、前記ＣＳＩ処理ユニットの占有時間を決定することは、前記ＣＳＩ報告の時間領域特徴が非周期的であり、且つ前記物理上りリンクリソースが前記ネットワーク機器によって設定済みである場合、前記ＣＳＩ報告をトリガするＰＤＣＣＨの後の最初のＯＦＤＭシンボルから、前記ＣＳＩリソースが設定されたＰＵＳＣＨの最後のシンボルまでを、前記ＣＳＩ処理ユニットの占有時間とすることを含む。
【０１８１】
任意に、前記決定モジュール１５１が、前記ＣＳＩ報告の時間領域特徴及び物理上りリンクリソースの設定状況に基づいて、前記ＣＳＩ処理ユニットの占有時間を決定することは、前記ＣＳＩ報告の時間領域特徴が非周期的であり、且つ前記物理上りリンクリソースが前記ネットワーク機器によって設定済みであるか、又は設定されていない場合、前記ＣＳＩ報告をトリガするＰＤＣＣＨの後の最初のＯＦＤＭシンボルから、第１ＯＦＤＭシンボル又は第２ＯＦＤＭシンボルの一方まで、又は、前記第１ＯＦＤＭシンボル及び前記第２ＯＦＤＭシンボルのうち最も遅いＯＦＤＭシンボルにプラスｎ個のＯＦＤＭシンボルまでを、前記ＣＳＩ処理ユニットの占有時間とすることを含む。ここで、前記第１ＯＦＤＭシンボルは、前記ＣＳＩ報告をトリガするＰＤＣＣＨの後の最初のＯＦＤＭシンボルの後のＺ個のＯＦＤＭシンボルであり、前記第２ＯＦＤＭシンボルは、ＣＳＩリソースの最後のＯＦＤＭシンボルの後のＺ´個のＯＦＤＭシンボルである。前記Ｚ´は、ビーム測定情報の算出に必要なＯＦＤＭシンボル数である。前記Ｚは、前記Ｚ´に関係する。前記ｎは、０以上の整数である。
【０１８２】
任意に、前記ＣＳＩリソースは、前記ＣＳＩ報告設定に関連するＣＳＩリソース設定の少なくとも１つのＳＳＢリソース又は少なくとも１つのＣＳＩ−ＲＳリソースを含み、又は、前記ＣＳＩリソースは、前記ＣＳＩ報告設定に関連するＣＳＩリソース設定の少なくとも１つのＳＳＢリソース又は少なくとも１つのＣＳＩ−ＲＳリソース、及び少なくとも１つの干渉測定リソース又は少なくとも１つの受信信号強度指示ＲＳＳＩ測定リソースを含む。
【０１８３】
任意に、前記決定モジュール１５１が、ＣＳＩ報告設定におけるＣＳＩ報告種類に基づいて、前記ＣＳＩ処理ユニットの占有時間を決定することは、前記ＣＳＩ報告種類として、前記ネットワーク機器に報告されるビーム測定情報が内容なしであり且つＣＳＩ−ＲＳリソースがＴＲＳ測定に用いられないことである場合、ＣＳＩ処理ユニットを占有しないと決定することを含む。
【０１８４】
本開示の実施例に係る端末機器は、図１の方法の実施例で端末機器によって実現される各プロセスを実現可能であり、重複を避けるために、ここでは繰り返して記載しない。本開示の実施例において、ＣＳＩ報告設定におけるＣＳＩ報告種類に基づいて、前記ＣＳＩ処理ユニットの占有時間を決定する。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。このように、ビーム管理において、ネットワーク機器に報告されるＣＳＩ情報がビーム測定情報である応用シーン、及び、報告されるＣＳＩ情報が内容なしであり且つＣＳＩ−ＲＳリソースがＴＲＳ測定に用いられない応用シーンで、端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【０１８５】
図１６は、本開示の一実施例に係る端末機器の構造図である。前記端末機器は、決定モジュール１６１を含む。ここで、決定モジュール１６１は、ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記ＣＳＩ処理ユニットの占有時間を決定する。
【０１８６】
任意に、前記決定モジュール１６１が、前記ネットワーク機器から毎回送信されたＣＳＩ−ＲＳリソースに基づいて、前記ＣＳＩ処理ユニットの占有時間を決定することは、ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、前記ＣＳＩ処理ユニットの占有時間とすることを含む。前記Ｚ´は、ビーム測定情報の算出に必要なＯＦＤＭシンボル数であり、前記ｙは、０以上の整数である。前記ＣＳＩリソースは、毎回送信される少なくとも１つのＣＳＩリソースのうち最も古いＣＳＩリソースである。又は、前記ＣＳＩリソースは、前記ＣＳＩ報告に対応するＣＳＩ基準リソースの直近の送信以前の少なくとも１つのＣＳＩリソースのうち最も古いＣＳＩリソースである。
【０１８７】
任意に、前記ＣＳＩ基準リソースは、周期的又は準持続的に送信されるＣＳＩ−ＲＳリソースに関係する。
【０１８８】
任意に、前記ＣＳＩ−ＲＳリソース設定における繰り返しがＯｎにセットされ、前記ＣＳＩ−ＲＳリソース設定に設定されたＣＳＩ−ＲＳの時間領域特徴が周期的ＣＳＩ−ＲＳであり、又は、前記ＣＳＩ−ＲＳリソース設定が準持続的ＣＳＩ−ＲＳの時間領域特徴であり且つ活性化されている。
【０１８９】
任意に、ＣＳＩ報告のビーム測定周期及びスロットオフセットは、周期的又は準持続的な前記ＣＳＩ−ＲＳリソースの送信周期及びスロットオフセットに一致する。
【０１９０】
本開示の実施例に係る端末機器は、図１の方法の実施例で端末機器によって実現される各プロセスを実現可能であり、重複を避けるために、ここでは繰り返して記載しない。本開示の実施例では、ビーム管理において、ＣＳＩ報告設定が設定されていない応用シーンで、端末機器内のＣＳＩ処理ユニットの占有時間を決定する際に、本開示の実施例による技術手段に基づいてＣＳＩ処理ユニットの占有時間を明確化することができ、端末機器及びネットワーク機器の動作がより明晰となる。
【０１９１】
本開示の実施例において、通信機器は、ネットワーク機器と端末機器を含む。通信機器が端末機器である場合、図１７に示すように、図１７は、本開示の一実施例に係る端末機器の構造図である。図１７に示す端末機器１７００は、少なくとも１つのプロセッサ１７０１と、メモリ１７０２と、少なくとも１つのネットワークインタフェース１７０４と、ユーザインタフェース１７０３を含む。端末機器１７００における各設定部品は、バスシステム１７０５を介して結合される。バスシステム１７０５は、これらの設定部品の間の接続と通信に用いられることが理解できる。バスシステム１７０５は、データバスのほかに、電源バス、制御バス及び状態信号バスを更に含む。ただし、明確に説明するために、図１７において、各種類のバスをすべてバスシステム１７０５として表記している。
【０１９２】
ここで、ユーザインタフェース１７０３は、ディスプレイ、キーボード又はポインティングデバイス（例えばマウス、トラックボール（ｔｒａｃｋ  ｂａｌｌ））、タッチパネル又はタッチスクリーンなどを含む。
【０１９３】
本開示の実施例におけるメモリ１７０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１７０２は、これらに限られず、これら及びこれら以外の任意の適合する種類のメモリを含むとする。
【０１９４】
一部実施例において、メモリ１７０２には、実行可能なモジュール又はデータ構造、又はそれらのサブセット、又は、それらの拡張セットであるオペレーティングシステム１７０２１とアプリケーションプログラム１７０２２が記憶されている。
【０１９５】
ここで、オペレーティングシステム１７０２１は、フレーム層、コアライブラリ層、駆動層など各種類のシステムプログラムを含み、各種類のベーシックサービスの実現及びハードウェアに基づくタスクの処理に用いられる。アプリケーションプログラム１７０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１７０２２に含まれる。
【０１９６】
本開示の実施例において、端末機器１７００は、メモリ１７０２に格納されてプロセッサ１７０１で実行可能なコンピュータプログラムを更に含む。コンピュータプログラムがプロセッサ１７０１によって実行されると、以下のステップが実現される。ＣＳＩ報告設定におけるＣＳＩ報告種類に基づいて、前記ＣＳＩ処理ユニットの占有時間を決定する。前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む。又は、ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記ＣＳＩ処理ユニットの占有時間を決定する。
【０１９７】
上記の本開示の実施例に開示されるチャネル状態情報ＣＳＩ処理ユニットの占有時間の決定方法は、プロセッサ１７０１に応用可能であり、又はプロセッサ１７０１によって実現される。プロセッサ１７０１は、信号処理能力を有するＩＣチップである。実現プロセスにおいて、上記方法の各ステップは、プロセッサ１７０１におけるハードウェアの集積論理回路又はソフトウェア形式の指令によって遂行される。上記プロセッサ１７０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知のコンピュータ読み取り可能な記憶媒体に位置する。該コンピュータ読み取り可能な記憶媒体は、メモリ１７０２に位置する。プロセッサ１７０１は、メモリ１７０２における情報を読み取って、そのハードウェアと組み合わせて上記方法のステップを遂行する。具体的に、該コンピュータ読み取り可能な記憶媒体にはコンピュータプログラムが格納され、コンピュータプログラムがプロセッサ１７０１によって実行されると、上記のチャネル状態情報ＣＳＩ処理ユニットの占有時間の決定方法の実施例の各ステップが実現される。
【０１９８】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０１９９】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０２００】
端末機器１７００は、前記実施例で端末機器によって実現される各プロセスを実現可能であり、重複を避けるために、ここでは繰り返して記載しない。
【０２０１】
本開示の実施例は、１つ又は複数のプログラムが格納されているコンピュータ読み取り可能な記憶媒体を更に提供し、該１つ又は複数のプログラムには、複数の指令を含む。該指令は、複数のアプリケーションプログラムを含む通信機器によって実行されると、図１又は図１１に示す実施例の方法を該通信機器に実行させることができ、具体的に上記のチャネル状態情報ＣＳＩ処理ユニットの占有時間の決定方法を実行するために用いられる。
【０２０２】
図１８は、本開示の一実施例に係る端末機器の構造図である。前記端末機器は、電力決定モジュール１８１を含む。ここで、電力決定モジュール１８１は、リンク回復プロセスで、端末機器がネットワーク機器からのリンク回復応答の受信に成功した後であって、前記端末機器がＰＵＣＣＨ空間関連情報に関するＭＡＣ  ＣＥ活性化又は無線リソース制御ＲＲＣ再設定シグナリングの受信に成功する前の時間内に、ＰＵＣＣＨ伝送に使用される空間フィルタリングパラメータが物理ランダムアクセスチャネルＰＲＡＣＨと同じであり、且つ前記ＰＲＡＣＨが競争に基づくＰＲＡＣＨである場合、セルレベル設定の目標受信電力及び端末機器の特定の目標受信電力に基づいて、ＰＵＣＣＨの目標受信電力を決定する。
【０２０３】
任意に、前記電力決定モジュール１８１が、セルレベル設定の目標受信電力及び端末機器の特定の目標受信電力に基づいて、ＰＵＣＣＨの目標受信電力を決定することは、前記セルレベル設定の目標受信電力と前記端末機器の特定の目標受信電力との和を、前記ＰＵＣＣＨの目標受信電力とすることを含む。
【０２０４】
任意に、前記端末機器の特定の目標受信電力の値は、０である。
【０２０５】
任意に、前記セルレベル設定の目標受信電力が前記ネットワーク機器によって設定されていない場合、前記セルレベル設定の目標受信電力の値は、０であるか、又は、プリアンブル目標受信電力と、メッセージ３と前記プリアンブル目標受信電力とのオフセットとの和である。
【０２０６】
本開示の実施例に係る端末機器は、図１４に示す方法の実施例で端末機器によって実現される各プロセスを実現可能であり、重複を避けるために、ここでは繰り返して記載しない。本開示の実施例において、端末機器がネットワーク機器からのリンク回復応答の受信に成功した後であって、端末機器がＰＵＣＣＨ空間関連情報に関するＭＡＣ  ＣＥ活性化又はＲＲＣ再設定の受信に成功する前の時間内に、ＰＵＣＣＨ伝送に使用される空間フィルタリングパラメータがＰＲＡＣＨと同じであり、且つＰＲＡＣＨが競争に基づくＰＲＡＣＨである場合、セルレベル設定の目標受信電力及び端末機器の特定の目標受信電力に基づいて、ＰＵＣＣＨの目標受信電力を明確化することができる。
【０２０７】
本開示の実施例において、通信機器は、ネットワーク機器と端末機器を含む。通信機器が端末機器である場合、図１９に示すように、図１９は、本開示の一実施例に係る端末機器の構造図である。図１９に示す端末機器１９００は、少なくとも１つのプロセッサ１９０１と、メモリ１９０２と、少なくとも１つのネットワークインタフェース１９０４と、ユーザインタフェース１９０３を含む。端末機器１９００における各設定部品は、バスシステム１９０５を介して結合される。バスシステム１９０５は、これらの設定部品の間の接続と通信に用いられることが理解できる。バスシステム１９０５は、データバスのほかに、電源バス、制御バス及び状態信号バスを更に含む。ただし、明確に説明するために、図１９において、各種類のバスをすべてバスシステム１９０５として表記している。
【０２０８】
ここで、ユーザインタフェース１９０３は、ディスプレイ、キーボード又はポインティングデバイス（例えばマウス、トラックボール（ｔｒａｃｋ  ｂａｌｌ））、タッチパネル又はタッチスクリーンなどを含む。
【０２０９】
本開示の実施例におけるメモリ１９０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１９０２は、これらに限られず、これら及びこれら以外の任意の適合する種類のメモリを含むとする。
【０２１０】
一部実施例において、メモリ１９０２には、実行可能なモジュール又はデータ構造、又はそれらのサブセット、又は、それらの拡張セットであるオペレーティングシステム１９０２１とアプリケーションプログラム１９０２２が記憶されている。
【０２１１】
ここで、オペレーティングシステム１９０２１は、フレーム層、コアライブラリ層、駆動層など各種類のシステムプログラムを含み、各種類のベーシックサービスの実現及びハードウェアに基づくタスクの処理に用いられる。アプリケーションプログラム１９０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１９０２２に含まれる。
【０２１２】
本開示の実施例において、端末機器１９００は、メモリ１９０２に格納されてプロセッサ１９０１で実行可能なコンピュータプログラムを更に含む。コンピュータプログラムがプロセッサ１９０１によって実行されると、以下のステップが実現される。リンク回復プロセスで、端末機器がネットワーク機器からのリンク回復応答の受信に成功した後であって、前記端末機器がＰＵＣＣＨ空間関連情報に関するＭＡＣ  ＣＥ活性化又は無線リソース制御ＲＲＣ再設定シグナリングの受信に成功する前の時間内に、ＰＵＣＣＨ伝送に使用される空間フィルタリングパラメータが物理ランダムアクセスチャネルＰＲＡＣＨと同じであり、且つ前記ＰＲＡＣＨが競争に基づくＰＲＡＣＨである場合、セルレベル設定の目標受信電力及び端末機器の特定の目標受信電力に基づいて、ＰＵＣＣＨの目標受信電力を決定する。
【０２１３】
上記の本開示の実施例に開示されるＰＵＣＣＨ目標受信電力の決定方法は、プロセッサ１９０１に応用可能であり、又はプロセッサ１９０１によって実現される。プロセッサ１９０１は、信号処理能力を有するＩＣチップである。実現プロセスにおいて、上記方法の各ステップは、プロセッサ１９０１におけるハードウェアの集積論理回路又はソフトウェア形式の指令によって遂行される。上記プロセッサ１９０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知のコンピュータ読み取り可能な記憶媒体に位置する。該コンピュータ読み取り可能な記憶媒体は、メモリ１９０２に位置する。プロセッサ１９０１は、メモリ１９０２における情報を読み取って、そのハードウェアと組み合わせて上記方法のステップを遂行する。具体的に、該コンピュータ読み取り可能な記憶媒体にはコンピュータプログラムが格納され、コンピュータプログラムがプロセッサ１９０１によって実行されると、上記のＰＵＣＣＨ目標受信電力の決定方法の実施例の各ステップが実現される。
【０２１４】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０２１５】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０２１６】
端末機器１９００は、前記実施例で端末機器によって実現される各プロセスを実現可能であり、重複を避けるために、ここでは繰り返して記載しない。
【０２１７】
本開示の実施例は、１つ又は複数のプログラムが格納されているコンピュータ読み取り可能な記憶媒体を更に提供し、該１つ又は複数のプログラムには、複数の指令を含む。該指令は、複数のアプリケーションプログラムを含む通信機器によって実行されると、図１４に示す実施例の方法を該通信機器に実行させることができ、具体的に上記のＰＵＣＣＨ目標受信電力の決定方法を実行するために用いられる。
【０２１８】
つまり、以上の記載は、本開示の好適な実施例に過ぎず、本開示の限定に用いられない。本開示の精神及び原則内に為したあらゆる変更、同等代替、改良などは、いずれも本開示の保護範囲に含まれるべきである。
【０２１９】
上記実施例に記載したシステム、装置、モジュール又はユニットは、具体的には、コンピュータチップ又は実態（エンティティ）によって実現され、又は何らかの機能を有する製品によって実現される。典型的な実現機器は、コンピュータである。具体的には、コンピュータは、例えばパーソナルコンピュータ、ラップトップコンピュータ、セルラー電話、カメラ電話、スマートフォン、ＰＤＡ（Ｐｅｒｓｏｎａｌ Ｄｉｇｉｔａｌ Ａｓｓｉｓｔａｎｔ）、メディアプレイヤー、ナビゲーション機器、電子メール機器、ゲームコンソール、  タブレットコンピュータ、ウェアラブルデバイス又はこれらのデバイスのいずれかの組み合わせである。
【０２２０】
コンピュータ読み取り可能な媒体は、永久的媒体や非永久的媒体、リムーバブル媒体やノンリムーバブル媒体を含み、あらゆる方法や技術によって情報の記憶が実現される。情報は、コンピュータ読み取り可能な指令、データ構造、プログラムのモジュール又はほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ又はほかの内部記憶技術、ＣＤ−ＲＯＭ、ＤＶＤ又はほかの光学的記憶媒体、磁気カセット式磁気テープ、磁気ディスク又はほかの磁気記憶デバイス又はほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０２２１】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「・・・を１つ含む」の表現によって限定される要素について、当該要素を含むプロセス、方法、モノ又は装置に他の同一要素の存在を除外しない。
【０２２２】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【０２２３】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、全て本開示の保護範囲に含まれる。
【図１】
2022501967.tif 000008
【図２】
2022501967.tif 000009
【図３】
2022501967.tif 000010
【図４】
2022501967.tif 000011
【図５】
2022501967.tif 000012
【図６】
2022501967.tif 000013
【図７】
2022501967.tif 000014
【図８】
2022501967.tif 000015
【図９】
2022501967.tif 000016
【図１０】
2022501967.tif 000017
【図１１】
2022501967.tif 000018
【図１２】
2022501967.tif 000019
【図１３】
2022501967.tif 000020
【図１４】
2022501967.tif 000021
【図１５】
2022501967.tif 000022
【図１６】
2022501967.tif 000023
【図１７】
2022501967.tif 000024
【図１８】
2022501967.tif 000025
【図１９】
2022501967.tif 000026
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
端末機器に応用されるチャネル状態情報ＣＳＩ処理ユニットの占有時間の決定方法であって、
ＣＳＩ報告設定におけるＣＳＩ報告種類に基づいて、前記チャネル状態情報ＣＳＩ処理ユニットの占有時間を決定することを含み、
前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む、チャネル状態情報ＣＳＩ処理ユニットの占有時間の決定方法。
【請求項２】
ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるＣＳＩ情報がビーム測定情報である場合、ＣＳＩ報告の時間領域特徴に基づいて、前記チャネル状態情報ＣＳＩ処理ユニットの占有時間を決定することを含む、請求項１に記載のチャネル状態情報ＣＳＩ処理ユニットの占有時間の決定方法。
【請求項３】
前記ＣＳＩ報告の時間領域特徴に基づいて、前記チャネル状態情報ＣＳＩ処理ユニットの占有時間を決定することは、
前記ＣＳＩ報告の時間領域特徴が周期的又は準持続的である場合、ＣＳＩリソースの最初の直交周波数分割多重ＯＦＤＭシンボルから、前記ＣＳＩ報告を伝送するための物理上りリンク共有チャネルＰＵＳＣＨ又は物理上りリンク制御チャネルＰＵＣＣＨの最後のＯＦＤＭシンボルまでを、前記チャネル状態情報ＣＳＩ処理ユニットの占有時間とすることを含み、
ここで、前記ＣＳＩリソースは、前記物理上りリンク共有チャネルＰＵＳＣＨ又は前記物理上りリンク制御チャネルＰＵＣＣＨの最初のＯＦＤＭシンボル前のＺ´個のＯＦＤＭシンボルで直近の回に送信されるＣＳＩリソースであり、前記Ｚ´は、ビーム測定情報の算出に必要なＯＦＤＭシンボル数である、請求項２に記載のチャネル状態情報ＣＳＩ処理ユニットの占有時間の決定方法。
【請求項４】
前記ＣＳＩ報告の時間領域特徴に基づいて、前記チャネル状態情報ＣＳＩ処理ユニットの占有時間を決定することは、
前記ＣＳＩ報告の時間領域特徴が非周期的である場合、前記ＣＳＩ報告をトリガする物理下りリンク制御チャネルＰＤＣＣＨの後の最初のＯＦＤＭシンボルから、前記ＣＳＩ報告を伝送する物理上りリンク共有チャネルＰＵＳＣＨの最後のＯＦＤＭシンボルまでを、前記チャネル状態情報ＣＳＩ処理ユニットの占有時間とすることを含む、請求項２に記載のチャネル状態情報ＣＳＩ処理ユニットの占有時間の決定方法。
【請求項５】
ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるＣＳＩ情報が内容なしであり且つＣＳＩ−ＲＳリソースがＴＲＳ測定に用いられないことである場合、ＣＳＩ報告の時間領域特徴及び物理上りリンクリソースの設定状況に基づいて、前記チャネル状態情報ＣＳＩ処理ユニットの占有時間を決定することを含み、前記物理上りリンクリソースが物理上りリンク制御チャネルＰＵＣＣＨリソース又は物理上りリンク共有チャネルＰＵＳＣＨリソースである、請求項１に記載のチャネル状態情報ＣＳＩ処理ユニットの占有時間の決定方法。
【請求項６】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が周期的又は準持続的であり、且つ前記物理上りリンクリソースが前記ネットワーク機器によって設定済みである場合、ＣＳＩリソースの最初のＯＦＤＭシンボルから、設定された前記ＣＳＩ報告の周期的又は準持続的物理上りリンク制御チャネルＰＵＣＣＨ又は物理上りリンク共有チャネルＰＵＳＣＨの（１＋ｘ）番目のＯＦＤＭシンボルまで、又は設定された前記ＣＳＩ報告の周期的又は準持続的物理上りリンク制御チャネルＰＵＣＣＨ又は物理上りリンク共有チャネルＰＵＳＣＨの最後のＯＦＤＭシンボルまでを、前記チャネル状態情報ＣＳＩ処理ユニットの占有時間とすることを含み、
ここで、前記ＣＳＩリソースは、前記物理上りリンク共有チャネルＰＵＳＣＨ又は前記物理上りリンク制御チャネルＰＵＣＣＨの最初のＯＦＤＭシンボル前のＺ´個のＯＦＤＭシンボルで直近の回に送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースであり、前記Ｚ´は、ビーム測定情報の算出に必要なＯＦＤＭシンボル数であり、前記ｘは、整数である、請求項５に記載のチャネル状態情報ＣＳＩ処理ユニットの占有時間の決定方法。
【請求項７】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が周期的又は準持続的であり、且つ前記物理上りリンクリソースが前記ネットワーク機器によって設定済みであるか、又は設定されていない場合、ＣＳＩリソースの最初のＯＦＤＭシンボルから、前記ＣＳＩリソースの最後のＯＦＤＭシンボルの後の（Ｚ´＋ｙ）個のＯＦＤＭシンボルまでを、前記チャネル状態情報ＣＳＩ処理ユニットの占有時間とすることを含み、前記Ｚ´は、ビーム測定情報の算出に必要なＯＦＤＭシンボル数であり、前記ｙは、０以上の整数であり、
前記ＣＳＩリソースは、毎回送信される少なくとも１つのＣＳＩリソースのうち最も古いＣＳＩリソースであり、又は、前記ＣＳＩリソースは、前記ＣＳＩ報告に対応するＣＳＩ基準リソースの直近の送信以前の少なくとも１つのＣＳＩリソースのうち最も古いＣＳＩリソースである、請求項５に記載のチャネル状態情報ＣＳＩ処理ユニットの占有時間の決定方法。
【請求項８】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が非周期的であり、且つ前記物理上りリンクリソースが前記ネットワーク機器によって設定済みである場合、前記ＣＳＩ報告をトリガするＰＤＣＣＨの後の最初のＯＦＤＭシンボルから、ＣＳＩリソースが設定された物理上りリンク共有チャネルＰＵＳＣＨの最後のシンボルまでを、前記チャネル状態情報ＣＳＩ処理ユニットの占有時間とすることを含む、請求項５に記載のチャネル状態情報ＣＳＩ処理ユニットの占有時間の決定方法。
【請求項９】
前記ＣＳＩ報告の時間領域特徴及び物理上りリンクリソースの設定状況に基づいて、前記チャネル状態情報ＣＳＩ処理ユニットの占有時間を決定することは、
前記ＣＳＩ報告の時間領域特徴が非周期的であり、且つ前記物理上りリンクリソースが前記ネットワーク機器によって設定済みであるか、又は設定されていない場合、前記ＣＳＩ報告をトリガするＰＤＣＣＨの後の最初のＯＦＤＭシンボルから、第１ＯＦＤＭシンボル又は第２ＯＦＤＭシンボルの一方まで、又は、前記第１ＯＦＤＭシンボル及び前記第２ＯＦＤＭシンボルのうち最も遅いＯＦＤＭシンボルにプラスｎ個のＯＦＤＭシンボルまでを、前記チャネル状態情報ＣＳＩ処理ユニットの占有時間とすることを含み、
ここで、前記第１ＯＦＤＭシンボルは、前記ＣＳＩ報告をトリガするＰＤＣＣＨの後の最初のＯＦＤＭシンボルの後のＺ個のＯＦＤＭシンボルであり、前記第２ＯＦＤＭシンボルは、ＣＳＩリソースの最後のＯＦＤＭシンボルの後のＺ´個のＯＦＤＭシンボルであり、前記Ｚ´は、ビーム測定情報の算出に必要なＯＦＤＭシンボル数であり、前記Ｚは、前記Ｚ´に関係し、前記ｎは、０以上の整数である、請求項５に記載のチャネル状態情報ＣＳＩ処理ユニットの占有時間の決定方法。
【請求項１０】
前記ＣＳＩリソースは、前記ＣＳＩ報告設定に関連するＣＳＩリソース設定の少なくとも１つのＳＳＢリソース又は少なくとも１つのＣＳＩ−ＲＳリソースを含み、又は、
前記ＣＳＩリソースは、前記ＣＳＩ報告設定に関連するＣＳＩリソース設定の少なくとも１つのＳＳＢリソース又は少なくとも１つのＣＳＩ−ＲＳリソース、及び少なくとも１つの干渉測定リソース又は少なくとも１つの受信信号強度指示ＲＳＳＩ測定リソースを含む、請求項３、６、７又は９に記載のチャネル状態情報ＣＳＩ処理ユニットの占有時間の決定方法。
【請求項１１】
ＣＳＩ報告設定におけるＣＳＩ報告種類に基づいて、前記チャネル状態情報ＣＳＩ処理ユニットの占有時間を決定することは、
前記ＣＳＩ報告種類として、前記ネットワーク機器に報告されるビーム測定情報が内容なしであり且つＣＳＩ−ＲＳリソースがＴＲＳ測定に用いられないことである場合、チャネル状態情報ＣＳＩ処理ユニットを占有しないと決定することを含む、請求項１に記載のチャネル状態情報ＣＳＩ処理ユニットの占有時間の決定方法。
【請求項１２】
端末機器に応用されるチャネル状態情報ＣＳＩ処理ユニットの占有時間の決定方法であって、
ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、前記チャネル状態情報ＣＳＩ処理ユニットの占有時間を決定することを含む、チャネル状態情報ＣＳＩ処理ユニットの占有時間の決定方法。
【請求項１３】
物理上りリンク制御チャネルＰＵＣＣＨ目標受信電力の決定方法であって、
リンク回復プロセスで、端末機器がネットワーク機器からのリンク回復応答の受信に成功した後であって、前記端末機器が物理上りリンク制御チャネルＰＵＣＣＨ空間関連情報に関するＭＡＣ  ＣＥ活性化又は無線リソース制御ＲＲＣ再設定シグナリングの受信に成功する前の時間内に、物理上りリンク制御チャネルＰＵＣＣＨ伝送に使用される空間フィルタリングパラメータが物理ランダムアクセスチャネルＰＲＡＣＨと同じであり、且つ前記物理ランダムアクセスチャネルＰＲＡＣＨが競争に基づく物理ランダムアクセスチャネルＰＲＡＣＨである場合、セルレベル設定の目標受信電力及び端末機器の特定の目標受信電力に基づいて、物理上りリンク制御チャネルＰＵＣＣＨの目標受信電力を決定することを含む、物理上りリンク制御チャネルＰＵＣＣＨ目標受信電力の決定方法。
【請求項１４】
端末機器であって、
ＣＳＩ報告設定におけるＣＳＩ報告種類に基づいて、チャネル状態情報ＣＳＩ処理ユニットの占有時間を決定する決定モジュールを含み、
前記ＣＳＩ報告種類として、前記端末機器からネットワーク機器に報告されるＣＳＩ情報がビーム測定情報であること、又は、前記ネットワーク機器に報告されるＣＳＩ情報が内容なしであり且つチャネル状態情報基準信号ＣＳＩ−ＲＳリソースが追跡基準信号ＴＲＳ測定に用いられないことを含む、端末機器。
【請求項１５】
端末機器であって、
ネットワーク機器によってＣＳＩ報告設定が設定されておらず、且つネットワーク機器によってＣＳＩ−ＲＳリソース設定が設定されている場合、前記ネットワーク機器から毎回送信されたＣＳＩ−ＲＳリソースに基づいて、チャネル状態情報ＣＳＩ処理ユニットの占有時間を決定する決定モジュールを含む、端末機器。
【請求項１６】
端末機器であって、
リンク回復プロセスで、端末機器がネットワーク機器からのリンク回復応答の受信に成功した後であって、前記端末機器が物理上りリンク制御チャネルＰＵＣＣＨ空間関連情報に関するＭＡＣ  ＣＥ活性化又は無線リソース制御ＲＲＣ再設定シグナリングの受信に成功する前の時間内に、物理上りリンク制御チャネルＰＵＣＣＨ伝送に使用される空間フィルタリングパラメータが物理ランダムアクセスチャネルＰＲＡＣＨと同じであり、且つ前記物理ランダムアクセスチャネルＰＲＡＣＨが競争に基づく物理ランダムアクセスチャネルＰＲＡＣＨである場合、セルレベル設定の目標受信電力及び端末機器の特定の目標受信電力に基づいて、物理上りリンク制御チャネルＰＵＣＣＨの目標受信電力を決定する電力決定モジュールを含む、端末機器。
【国際調査報告】
2022501967.tif 000027
2022501967.tif 000028
2022501967.tif 000029
2022501967.tif 000030
2022501967.tif 000031
2022501967.tif 000032